(57)【要約】  ソーシャルネットワーキングシステム及び方法。位置に関係したデータ及び他の行動及び外因的に発生される特性を使用して、自分で発生したプロフィールに置き換え又はそれを補足し、システムを使用してなされるマッチングの質及び信頼性を向上させると共に、プロフィール情報の入力を容易にする。【選択図】      図６
2008517402.tif 000002
【特許請求の範囲】
【請求項１】
ユーザが指定した情報を含む複数のユーザのプロフィールを用意するステップと、
少なくとも第１ユーザが訪問した位置を、その第１ユーザがその位置を手動で指定する必要なく、自動的に決定するステップと、
前記第１ユーザが訪問した位置に関する情報を前記第１ユーザのプロフィールに関連付けるステップと、
第２ユーザがマッチングのための基準を指定するのを許すステップと、
前記第１ユーザの現在位置に関する情報を決定するステップと、
前記第１ユーザのプロフィールに関連付けられた、前記第１ユーザが訪問した位置に関する情報に少なくとも一部分基づくと共に、前記第１ユーザの現在位置に関する情報に少なくとも一部分基づいて前記基準で前記第１ユーザをマッチングさせるステップと、
前記第２ユーザに通知を与えるステップと、
を備えた位置に基づくソーシャルネットワーキング方法。
【請求項２】
前記第１ユーザの現在位置に関する情報は、前記第２ユーザが指定する位置に対する前記第１ユーザの接近度に関する情報を含む、請求項１に記載の方法。
【請求項３】
前記第１ユーザの現在位置に関する情報は、前記第２ユーザの位置に対する前記第１ユーザの接近度に関する情報を含む、請求項１又は２に記載の方法。
【請求項４】
前記第１ユーザの現在位置を決定する前記ステップは、グローバルポジショニングシステムを使用することを含む、請求項１から３のいずれかに記載の方法。
【請求項５】
前記第１ユーザの現在位置を決定する前記ステップは、移動通信タワーによる三角測量を使用することを含む、請求項１から４のいずれかに記載の方法。
【請求項６】
前記第１ユーザの現在位置を決定する前記ステップは、既知の位置にある装置へのディジーチェーンを使用することを含む、請求項１から５のいずれかに記載の方法。
【請求項７】
前記第１ユーザの現在位置を決定する前記ステップは、前記位置にあるワイヤレス通信装置により信号を受信することを含む、請求項１から６のいずれかに記載の方法。
【請求項８】
前記第１ユーザの現在位置を決定する前記ステップは、前記位置に設けられた電子トークンを含む、請求項１から７のいずれかに記載の方法。
【請求項９】
前記第１ユーザの現在位置を決定する前記ステップは、前記位置における第１移動装置と第２移動装置との間のワイヤレス通信を含む、請求項１から８のいずれかに記載の方法。
【請求項１０】
前記第１移動装置は、前記第１ユーザのプロフィールに関連付けられ、そして前記第２移動装置は、前記第２ユーザのプロフィールに関連付けられる、請求項９に記載の方法。
【請求項１１】
前記第１移動装置は、前記第１ユーザのプロフィールに関連付けられ、そして前記第２移動装置は、前記第２ユーザのプロフィールに関連付けられる、請求項９に記載の方法。
【請求項１２】
第１ユーザが訪問した位置を決定する前記ステップは、グローバルポジショニングシステムを使用することを含む、請求項１から１１のいずれかに記載の方法。
【請求項１３】
第１ユーザが訪問した位置を決定する前記ステップは、移動通信タワーによる三角測量を使用することを含む、請求項１から１２のいずれかに記載の方法。
【請求項１４】
第１ユーザが訪問した位置を決定する前記ステップは、既知の位置にある装置へのディジーチェーンを使用することを含む、請求項１から１３のいずれかに記載の方法。
【請求項１５】
第１ユーザが訪問した位置を決定する前記ステップは、前記位置にあるワイヤレス通信装置により信号を受信することを含む、請求項１から１４のいずれかに記載の方法。
【請求項１６】
第１ユーザが訪問した位置を決定する前記ステップは、前記位置に設けられた電子トークンを含む、請求項１から１５のいずれかに記載の方法。
【請求項１７】
第１ユーザが訪問した位置を決定する前記ステップは、前記位置における第１移動装置と第２移動装置との間のワイヤレス通信を含む、請求項１から１６のいずれかに記載の方法。
【請求項１８】
前記第１移動装置は、前記第１ユーザのプロフィールに関連付けられ、そして前記第２移動装置は、別のユーザのプロフィールに関連付けられる、請求項９に記載の方法。
【請求項１９】
第１ユーザが訪問した位置に関する前記情報は、同時にその位置を訪問する少なくとも１人の他のユーザに関する情報を含む、請求項１から１８のいずれかに記載の方法。
【請求項２０】
第１ユーザが訪問した位置に関する前記情報は、前記第１ユーザがある位置を訪問したときに、前記第１ユーザが訪問したその位置で行なわれるイベントに関する情報を含む、請求項１から１９のいずれかに記載の方法。
【請求項２１】
前記イベントは、スポーツイベントである、請求項２０に記載の方法。
【請求項２２】
第２ユーザが訪問した位置を、その第２ユーザがその位置を手動で指定する必要なく、自動的に決定するステップと、
前記第２ユーザが訪問した位置に関する情報を前記第２ユーザのプロフィールに関連付けるステップと、
を更に備え、第１ユーザを前記基準でマッチングさせる前記ステップは、前記第２ユーザのプロフィールに関連付けられた、前記第２ユーザが訪問した位置に関する情報に少なくとも一部分基づく、請求項１から２１のいずれかに記載の方法。
【請求項２３】
複数のユーザのプロフィールを用意するステップと、
第１ユーザと第３の個人との関係に関する情報を、第１ユーザのプロフィールに関連付けるステップと、
第２ユーザがマッチングの基準を指定するのを許すステップと、
前記第１ユーザの位置に関する情報を決定するステップと、
前記第１ユーザと第３の個人との関係に関する情報に少なくとも一部分基づくと共に、前記第１ユーザの位置に関する情報に少なくとも一部分基づいて前記基準で前記第１ユーザをマッチングさせるステップと、
前記第２ユーザに通知を与えるステップと、
を備えた位置に基づくソーシャルネットワーキング方法。
【請求項２４】
前記第２ユーザは、前記第２ユーザと第３の個人との関係に関する情報を伴うプロフィールを有し、そして第１ユーザを前記基準でマッチングさせる前記ステップは、第２ユーザと第３の個人との関係に関する前記情報に少なくとも一部分基づく、請求項２３に記載の方法。
【請求項２５】
第１ユーザと第３の個人との関係に関する情報を、第１ユーザのプロフィールに関連付ける前記ステップは、第１ユーザの連絡先リストにおけるエントリーに基づく、請求項２３に記載の方法。
【請求項２６】
第１ユーザと第３の個人との関係に関する前記情報は、第１ユーザと第３ユーザとの間の通信に関する情報に基づく、請求項２３に記載の方法。
【請求項２７】
第１ユーザと第３ユーザとの間の通信に関する前記情報は、ｅメール通信に関する情報を含む、請求項２６に記載の方法。
【請求項２８】
ｅメール通信に関する前記情報は、第１ユーザと第３の個人との間のｅメール通信の頻度を含む、請求項２７に記載の方法。
【請求項２９】
第１ユーザと第３ユーザとの間の通信に関する前記情報は、電話コールに関する情報を含む、請求項２６に記載の方法。
【請求項３０】
ｅメール通信に関する前記情報は、第１ユーザと第３の個人との間の電話コールの頻度を含む、請求項２７に記載の方法。
【請求項３１】
第１ユーザと第３の個人との関係に関する前記情報は、第１ユーザと第３の個人との関係に関する第３の個人からの確認に基づく、請求項２３に記載の方法。
【請求項３２】
第１ユーザと第３の個人との関係に関する前記情報は、第３の個人からのフィードバックに基づく、請求項２３に記載の方法。
【請求項３３】
第１ユーザの位置に関する前記情報は、第２ユーザが指定した位置に対する第１ユーザの接近度に関する情報を含む、請求項２３から３２のいずれかに記載の方法。
【請求項３４】
第１ユーザの位置に関する前記情報は、第２ユーザの位置に対する第１ユーザの接近度に関する情報を含む、請求項２３から３３のいずれかに記載の方法。
【請求項３５】
第１ユーザの位置を決定する前記ステップは、グローバルポジショニングシステムを使用することを含む、請求項２３から３４のいずれかに記載の方法。
【請求項３６】
第１ユーザの位置を決定する前記ステップは、移動通信タワーによる三角測量を使用することを含む、請求項２３から３５のいずれかに記載の方法。
【請求項３７】
第１ユーザの位置を決定する前記ステップは、既知の位置にある装置へのディジーチェーンを使用することを含む、請求項２３から３６のいずれかに記載の方法。
【請求項３８】
第１ユーザの位置を決定する前記ステップは、前記位置にあるワイヤレス通信装置により信号を受信することを含む、請求項２３から３７のいずれかに記載の方法。
【請求項３９】
第１ユーザの現在位置を決定する前記ステップは、前記位置に設けられた電子トークンを含む、請求項２３から３８のいずれかに記載の方法。
【請求項４０】
第１ユーザの位置を決定する前記ステップは、前記位置における第１移動装置と第２移動装置との間のワイヤレス通信を含む、請求項２３から３９のいずれかに記載の方法。
【請求項４１】
前記第１移動装置は、前記第１ユーザのプロフィールに関連付けられ、そして前記第２移動装置は、前記第２ユーザのプロフィールに関連付けられる、請求項４０に記載の方法。
【請求項４２】
ユーザが指定した情報を含む複数のユーザのプロフィールを用意するステップと、
第１ユーザが行なう活動に関する行動情報を、その第１ユーザがその行動情報を手動で指定する必要なく、自動的に決定するステップと、
前記行動情報を前記第１ユーザのプロフィールに関連付けるステップと、
第２ユーザがマッチングのための基準を指定するのを許すステップと、
前記第１ユーザの位置に関する情報を決定するステップと、
前記第１ユーザが行う活動に関する行動情報に少なくとも一部分基づくと共に、前記第１ユーザの位置に関する情報に少なくとも一部分基づいて前記基準で前記第１ユーザをマッチングさせるステップと、
前記第２ユーザに通知を与えるステップと、
を備えた位置に基づくソーシャルネットワーキング方法。
【請求項４３】
第１ユーザの位置に関する前記情報は、前記第２ユーザが指定する位置に対する前記第１ユーザの接近度に関する情報を含む、請求項４２に記載の方法。
【請求項４４】
前記行動情報は、前記第１ユーザが訪問する位置に基づく、請求項４２又は４３に記載の方法。
【請求項４５】
第１ユーザが訪問する位置に関する前記行動情報は、前記第１ユーザがある位置を訪問したときに、前記第１ユーザが訪問したその位置で行なわれるイベントに関する情報を含む、請求項４２から４４のいずれかに記載の方法。
【請求項４６】
第１ユーザの位置を決定する前記ステップは、グローバルポジショニングシステムを使用することを含む、請求項４２から４５のいずれかに記載の方法。
【請求項４７】
前記第１ユーザの位置を決定する前記ステップは、移動通信タワーによる三角測量を使用することを含む、請求項４２から４６のいずれかに記載の方法。
【請求項４８】
前記第１ユーザの位置を決定する前記ステップは、既知の位置にある装置へのディジーチェーンを使用することを含む、請求項４２から４７のいずれかに記載の方法。
【請求項４９】
前記第１ユーザの位置を決定する前記ステップは、前記位置にあるワイヤレス通信装置により信号を受信することを含む、請求項４２から４８のいずれかに記載の方法。
【請求項５０】
前記第１ユーザの位置を決定する前記ステップは、前記位置に設けられた電子トークンを含む、請求項４２から４９のいずれかに記載の方法。
【請求項５１】
前記第１ユーザの位置を決定する前記ステップは、前記位置における第１移動装置と第２移動装置との間のワイヤレス通信を含む、請求項４２から５０のいずれかに記載の方法。
【請求項５２】
前記行動情報は、前記第１ユーザが行う購入に関する情報を含む、請求項４２から５１のいずれかに記載の方法。
【請求項５３】
テレビ録画装置を前記第１ユーザのプロフィールに関連付けるステップを更に備え、前記行動情報は、前記ユーザが前記録画装置に録画するテレビ番組に関する情報を含む、請求項４２から５２のいずれかに記載の方法。
【請求項５４】
移動電話を前記第１ユーザのプロフィールに関連付けるステップを更に備え、前記行動情報は、前記ユーザが前記移動電話で行う電話コールに関する情報を含む、請求項４２から５３のいずれかに記載の方法。
【請求項５５】
前記行動情報は、前記第１ユーザが訪問するウェブサイトに関する情報を含む、請求項４２から５４のいずれかに記載の方法。
【請求項５６】
ｅメールアカウントを前記第１ユーザのプロフィールに関連付けるステップを更に備え、前記行動情報は、前記ｅメールアカウントを通してユーザが送信又は受信するｅメールに関する情報を含む、請求項４２から５５のいずれかに記載の方法。
【請求項５７】
第２ユーザが行なう活動に関する行動情報を、その第２ユーザがその行動情報を手動で指定する必要なく、自動的に決定するステップと、
前記行動情報を前記第２ユーザのプロフィールに関連付けるステップと、
を備え、第１ユーザを基準とマッチングさせる前記ステップは、第２ユーザが行なう活動に関する行動情報に一部分基づく、請求項４２から５６のいずれかに記載の方法。
【請求項５８】
特性を、前記第１ユーザのプロフィール及び各特性の信用性に関連付けるステップを更に備え、前記特性は、少なくとも１つの確証した特性と、少なくとも１つの非確証の特性とを含む、請求項４２から５７のいずれかに記載の方法。
【請求項５９】
前記少なくとも１つの確証した特性は、前記非確証の特性より高いレベルの信用性を有する、請求項５８に記載の方法。
【請求項６０】
他のユーザにより与えられるフィードバックを前記プロフィールに関連付けるステップを更に備えた、請求項４２から６０のいずれかに記載の方法。
【請求項６１】
前記第１ユーザが、ある特性に関連した全てのフィードバックを除去するのを許すが、その特性に関連したフィードバックの部分を選択的に除去するのを許さないステップを更に備えた、請求項５９に記載の方法。
【請求項６２】
複数のユーザのプロフィールを用意するステップであって、各プロフィールは、ユーザが指定する特性及びユーザにより与えられない他の特性を含む複数の特性を各ユーザに関連付けるものであるステップと、
第１ユーザのプロフィールにおける前記特性の少なくとも幾つかを信用性のレベルに関連付けるステップと、
第２ユーザがマッチングのための基準を指定するのを許すステップと、
前記第１ユーザの位置に関する情報を得るステップと、
前記第１ユーザのプロフィールにおける前記特性に関連付けられた信用性のレベルに少なくとも一部分基づくと共に、前記第１ユーザの位置に少なくとも一部分基づいて前記基準で前記第１ユーザをマッチングさせるステップと、
を備えた位置に基づくソーシャルネットワーキング方法。
【請求項６３】
前記特性は、確証した特性及び非確証の特性を含み、前記確証した特性は、前記非確証の特性より高いレベルの信用性を有する、請求項６２に記載の方法。
【請求項６４】
前記確証した特性は、他のユーザにより確認される他のユーザとの関係に関する情報を含む、請求項６３に記載の方法。
【請求項６５】
前記確証した特性は、安全なトークンにより確認される情報を含む、請求項６２から６４のいずれかに記載の方法。
【請求項６６】
前記確証した特性は、前記第１ユーザが訪問した位置に関する情報を含む、請求項６２から６５のいずれかに記載の方法。
【請求項６７】
前記確証した特性は、少なくとも１人の他のユーザと同時に前記第１ユーザが訪問した位置に関する情報を含む、請求項６２から６６のいずれかに記載の方法。
【請求項６８】
第１ユーザを前記基準でマッチングさせる前記ステップは、前記第２ユーザの位置に少なくとも一部分基づく、請求項６２から６７のいずれかに記載の方法。
【請求項６９】
ユーザにより与えられない前記特性は、非確証のユーザ指定特性より高いレベルの信用性を有する、請求項６２から６８のいずれかに記載の方法。
【請求項７０】
前記特性は、前記第１ユーザと他のユーザとの関係に関する特性を含み、そして他のユーザとの関係に関する特性の信用性レベルは、前記第１ユーザと他のユーザが同じ位置にいた回数に少なくとも一部分基づく、請求項６２から６９のいずれかに記載の方法。
【請求項７１】
複数のユーザのプロフィールを用意するステップであって、各プロフィールは、複数の特性を各ユーザに関連付けるものであるステップと、
第１ユーザのプロフィールにおける前記特性の少なくとも幾つかを関連性のレベルに関連付けるステップと、
第２ユーザがマッチングのための基準を指定するのを許すステップと、
前記第１ユーザの位置に関する情報を得るステップと、
前記第１ユーザのプロフィールにおける前記特性に関連付けられた関連性のレベルに少なくとも一部分基づくと共に、前記第１ユーザの位置に少なくとも一部分基づいて前記基準で前記第１ユーザをマッチングさせるステップと、
を備えた位置に基づくソーシャルネットワーキング方法。
【請求項７２】
前記特性の少なくとも幾つかに対する前記関連性のレベルは、前記特性を決定するのに使用されるサンプルサイズに基づく、請求項７１に記載の方法。
【請求項７３】
複数のユーザのプロフィールを用意するステップであって、各プロフィールは、複数の特性を各ユーザに関連付けるものであり、前記特性の少なくとも幾つかは、他のユーザにより与えられるフィードバックに基づくものであるステップと、
第２ユーザがマッチングのための基準を指定するのを許すステップと、
前記第１ユーザの位置に関する情報を得るステップと、
前記第１ユーザのプロフィールにおける前記特性に関連付けられたフィードバックに少なくとも一部分基づくと共に、前記第１ユーザの位置に少なくとも一部分基づいて前記基準で前記第１ユーザをマッチングさせるステップと、
を備えた位置に基づくソーシャルネットワーキング方法。
【請求項７４】
前記第１ユーザが、特性に関連した全てのフィードバックを除去するのを許すことを更に備えた、請求項７１に記載の方法。
【請求項７５】
特性に関連した選択的フィードバックのみの除去を制限することを更に備えた、請求項７３又は７４に記載の方法。
【請求項７６】
前記フィードバックは数値的な格付けを含む、請求項７３から７５のいずれかに記載の方法。
【請求項７７】
前記フィードバックはコメントを含む、請求項７３から７６のいずれかに記載の方法。
【請求項７８】
複数のユーザのプロフィールを用意するステップであって、各プロフィールは、複数の特性を各ユーザに関連付けるものであり、前記プロフィールは、他のユーザにより与えられるフィードバックを含むものであるステップと、
第２ユーザがマッチングのための基準を指定するのを許すステップと、
前記第１ユーザの位置に関する情報を得るステップと、
前記第１ユーザのプロフィールにおける前記特性に少なくとも一部分基づくと共に、前記第１ユーザの位置に少なくとも一部分基づいて前記基準で前記第１ユーザをマッチングさせるステップと、
前記フィードバックを前記第２ユーザに与えるステップと、
を備えた位置に基づくソーシャルネットワーキング方法。
【請求項７９】
前記第１ユーザが、特性に関連した全てのフィードバックを除去するのを許すことを更に含む、請求項７８に記載の方法。
【請求項８０】
特性に関連した選択的フィードバックのみの除去を制限することを更に備えた、請求項７８又は７９に記載の方法。
【請求項８１】
前記フィードバックは数値的な格付けを含む、請求項７８から８０のいずれかに記載の方法。
【請求項８２】
前記フィードバックはコメントを含む、請求項７８から８１のいずれかに記載の方法。
【請求項８３】
第１ユーザの複数の特性を含む第１ユーザのプロフィールを用意するステップと、
第２ユーザがマッチングのための基準を指定するのを許すステップと、
前記第１ユーザの位置に関する情報を決定するステップと、
前記第１ユーザの位置に関する情報に少なくとも一部分基づいた前記基準で前記第１ユーザをマッチングさせるステップと、
前記第１ユーザのプロフィールの少なくとも一部分を含む通知を前記第２ユーザへ与えるステップと、
を備えた位置に基づくソーシャルネットワーキング方法。
【請求項８４】
前記通知は、前記第１ユーザのピクチャーを含む、請求項８３に記載の方法。
【請求項８５】
前記第２ユーザのプロフィールを用意するステップを更に備え、前記第１ユーザ及び第２ユーザのプロフィールは、両方とも、第３の個人に関する情報を含み、そして前記通知は、前記第３の個人のアイデンティティを与える、請求項８３又は８４に記載の方法。
【請求項８６】
前記通知は、前記第１ユーザにアプローチするための示唆を含む、請求項８３から８５のいずれかに記載の方法。
【請求項８７】
前記示唆は、前記第１ユーザのプロフィールに基づく、請求項８３から８６のいずれかに記載の方法。
【請求項８８】
第２ユーザの複数の特性を含む第２ユーザのプロフィールを用意するステップを更に備え、前記通知は、前記第２ユーザのプロフィールからの特性と同じである前記第１ユーザのプロフィールからの特性に関する情報を含む、請求項８３から８７のいずれかに記載の方法。
【請求項８９】
前記通知は、移動装置の可聴アラートを含む、請求項８３から８８のいずれかに記載の方法。
【請求項９０】
前記通知は、移動装置の振動アラートを含む、請求項８３から８９のいずれかに記載の方法。
【請求項９１】
前記通知は、移動装置のＳＭＳ又は他のテキストメッセージを含む、請求項８３から９０のいずれかに記載の方法。
【請求項９２】
前記通知は、示唆されたアイスブレーカーを含む、請求項８３から９１のいずれかに記載の方法。
【請求項９３】
前記通知は、前記第１ユーザのプロフィールに基づく示唆された会話の話題を含む、請求項８３から９２のいずれかに記載の方法。
【請求項９４】
前記第２ユーザが、第１ユーザの位置を指定することにより前記第１ユーザを選択するのを許すステップを更に備えた、請求項８３から９３のいずれかに記載の方法。
【請求項９５】
前記第２ユーザが、前記第１ユーザの移動装置を指すか、さもなければ、前記第１ユーザの位置を指定することにより、前記第１ユーザのプロフィールに関する情報を要求するのを許すステップを更に備えた、請求項８３から９４のいずれかに記載の方法。
【請求項９６】
前記通知は、前記第１ユーザを前記第２ユーザにより指定された基準とマッチングさせる理由に関する情報を含む、請求項８３から９５のいずれかに記載の方法。
【請求項９７】
前記第１ユーザが、前記第１ユーザのプロフィールをどのようにマッチングに使用できるかに関するルールを指定するのを許すステップを更に備えた、請求項８３から９６のいずれかに記載の方法。
【請求項９８】
前記第１ユーザにより指定される前記ルールは、前記第１ユーザの位置に基づくルールを含む、請求項８３から９７のいずれかに記載の方法。
【請求項９９】
前記ルールは、前記第１ユーザの位置に少なくとも一部分基づいてマッチング基準を自動的に変更する、請求項８３から９８のいずれかに記載の方法。
【請求項１００】
前記ルールは、１日の時刻に基づいて自動的に変更される、請求項８３から９９のいずれかに記載の方法。
【請求項１０１】
前記ルールは、曜日に少なくとも一部分基づいてマッチング基準を自動的に変更する、請求項８３から１００のいずれかに記載の方法。
【請求項１０２】
前記ルールは、第１ユーザの位置、時刻、曜日、及び第１ユーザが指定するモードより成るグループから選択された基準により少なくとも一部分決定された状況に少なくとも一部分基づいてマッチング基準を自動的に変更する、請求項８３から１０１のいずれかに記載の方法。
【請求項１０３】
前記ルールは、マッチングを要求するユーザと、前記第１ユーザのプロフィールに指定された第３の個人との間の関連性に少なくとも一部分基づく、請求項８３から１０２のいずれかに記載の方法。
【請求項１０４】
前記第３の個人は、前記第１ユーザの配偶者である、請求項１０３に記載の方法。
【請求項１０５】
前記第３の個人は、前記第１ユーザの協力者である、請求項１０３に記載の方法。
【請求項１０６】
前記ルールは、マッチングを要求するユーザのプロフィールと、前記第１ユーザのプロフィールとの間に共通の第２等級の関係を要求する、請求項８３から１０５のいずれかに記載の方法。
【請求項１０７】
前記ルールは、一部分は、前記第１ユーザの位置、及び位置に関して他のユーザにより以前に与えられた情報に基づく、請求項８３から１０６のいずれかに記載の方法。
【請求項１０８】
他のユーザ間の以前のマッチングの成功に関する情報を受け取るステップと、
他のユーザ間の以前のマッチングの成功に関する情報を使用して、マッチングのための付加的な基準を発生するステップと、
を更に備え、第１ユーザを、第２ユーザにより指定された基準でマッチングさせる前記ステップは、前記第１ユーザのプロフィールが前記付加的な基準を満足するかどうか決定することに少なくとも一部分基づく、請求項８３から１０７のいずれかに記載の方法。
【請求項１０９】
他のユーザ間の以前のマッチングの成功に関する情報を使用してマッチングのための付加的な基準を発生する前記ステップは、更に、以前のマッチングの成功に関する情報を、前記第２ユーザのプロフィールに基づいてフィルタリングすることを含む、請求項８３から１０８のいずれかに記載の方法。
【請求項１１０】
前記第２ユーザにより指定される基準は、指定の形式のソーシャルな遭遇に関心があるという指示を要求する、請求項８３から１０９のいずれかに記載の方法。
【請求項１１１】
前記第１ユーザにより指定されるルールは、指定の形式のソーシャルな遭遇に関心があるという指示を要求する、請求項８３から１１０のいずれかに記載の方法。
【請求項１１２】
前記第２ユーザにより指定される基準は、仕事に関心があるという指示を要求し、そして前記通知は、前記第１ユーザに対する雇用証明書を含む、請求項８３から１１１のいずれかに記載の方法。
【請求項１１３】
前記位置は、産業見本市又はジョブフェアであり、そして前記通知は、前記第１ユーザに対する雇用証明書を含む、請求項８３から１１２のいずれかに記載の方法。
【請求項１１４】
前記ルールは、前記第１ユーザのピクチャーを与える条件を含み、これは、前記第２ユーザのピクチャーを与えるように前記第２ユーザに要求する条件を含む、請求項８３から１１３のいずれかに記載の方法。
【請求項１１５】
前記ルールは、マッチングのための他の特性と共に集合形態でしか使用できない特性を前記第１ユーザのプロフィールから指定する、請求項８３から１１４のいずれかに記載の方法。
【請求項１１６】
前記ルールは、マッチングに使用できない特性を指定する、請求項８３から１１５のいずれかに記載の方法。
【請求項１１７】
前記ルールは、マッチングに対して指定の特性を使用するために満足されねばならない条件を指定する、請求項８３から１１６のいずれかに記載の方法。
【請求項１１８】
プロフィールをマッチングさせるために満足されねばならない基準に対するスレッシュホールド調整するために、前記第２ユーザにより調整できる感度設定を与えるステップを更に備えた、請求項８３から１１７のいずれかに記載の方法。
【請求項１１９】
前記第１ユーザとのマッチングの成功に関するフィードバックを前記第２ユーザが与えるのを許すステップを更に備えた、請求項８３から１１８のいずれかに記載の方法。
【請求項１２０】
前記第１ユーザとのマッチングの成功に関して前記第２ユーザにより与えられるフィードバックに基づいて前記第２ユーザに対するマッチングを決定するための付加的な基準を自動的に与えるステップを更に備えた、請求項８３から１１９のいずれかに記載の方法。
【請求項１２１】
前記第２ユーザの位置を決定するステップを更に備え、前記第１ユーザの位置に関する前記情報は、前記第１ユーザが、定義された時間周期内に前記第２ユーザの位置にいたかどうかに関する情報を含む、請求項８３から１２０のいずれかに記載の方法。
【請求項１２２】
会場に関する情報の要求を受け取るステップと、
複数のユーザの誰かが前記会場にいるかどうか自動的に決定するステップと、
前記会場にいるユーザのプロフィールを得るステップと、
前記要求に応答して、前記会場にいるユーザのプロフィール少なくとも一部分基づいて情報を与えるステップと、
を備えた位置に基づくソーシャルネットワーキング方法。
【請求項１２３】
複数のユーザの誰かが会場にいるかどうか決定する前記ステップは、グローバルポジショニングシステムを使用することを含む、請求項１２２に記載の方法。
【請求項１２４】
複数のユーザの誰かが会場にいるかどうか決定する前記ステップは、移動通信タワーによる三角測量を含む、請求項１２２又は１２３に記載の方法。
【請求項１２５】
複数のユーザの誰かが会場にいるかどうか決定する前記ステップは、既知の位置にある装置へのディジーチェーンを含む、請求項１２２から１２４のいずれかに記載の方法。
【請求項１２６】
複数のユーザの誰かが会場にいるかどうか決定する前記ステップは、前記位置にあるワイヤレス通信装置により信号を受信することを含む、請求項１２２から１２５のいずれかに記載の方法。
【請求項１２７】
複数のユーザの誰かが会場にいるかどうか決定する前記ステップは、前記位置に設けられた電子トークンを使用することを含む、請求項１２２から１２６のいずれかに記載の方法。
【請求項１２８】
複数のユーザの誰かが会場にいるかどうか決定する前記ステップは、前記位置における第１移動装置と第２移動装置との間のワイヤレス通信に基づく、請求項１２２から１２７のいずれかに記載の方法。
【請求項１２９】
前記要求は、１組のユーザを指定する基準を含み、そして前記要求に応答して与えられる前記情報は、指定の組のユーザの誰かが会場にいるかどうか指示する情報を含む、請求項１２２から１２８のいずれかに記載の方法。
【請求項１３０】
前記要求は、プロフィールをマッチングするための基準を含み、そして前記要求に応答して与えられる前記情報は、前記基準にマッチングするプロフィールを有する会場におけるユーザの数を示す情報を含む、請求項１２２から１２９のいずれかに記載の方法。
【請求項１３１】
ユーザが会場に関する情報を要求するのを許し、そして会場を訪問したユーザの関連ユーザプロフィールに基づく統計学的情報で応答するステップを更に備えた、請求項１２２から１３０のいずれかに記載の方法。
【請求項１３２】
将来の会場に関する情報を要求し、そして将来その会場にいることを示すプロフィールをもつユーザをリサーチする情報を与えることで応答するステップを更に備えた、請求項１２２から１３１のいずれかに記載の方法。
【請求項１３３】
前記情報は、カレンダーエントリー、チケット、旅行計画、又は将来の会場に関する他の情報に基づく、請求項１３２に記載の方法。
【請求項１３４】
第１ユーザを第１移動装置に関連付けるエントリー及び第１ユーザを第３ユーザに関連付けるエントリーを含む、第１ユーザのプロフィールを用意するステップと、
第２ユーザを第２移動装置に関連付けるエントリー及び第２ユーザを第３ユーザに関連付けるエントリーを含む、第２ユーザのプロフィールを用意するステップと、
第１移動装置及び第２移動装置に対する位置ベース情報を受け取るステップと、
前記位置ベース情報と、前記第３ユーザに関連した前記第１ユーザプロフィール及び第２ユーザプロフィールのエントリーとに少なくとも一部分基づいて前記第１ユーザ及び第２ユーザをマッチングさせるステップと、
を備えた位置に基づくソーシャルネットワーキング方法。
【請求項１３５】
第３ユーザを第３移動装置に関連付けるエントリーを含む、第３ユーザのプロフィールを用意するステップを更に備えた、請求項１３４に記載の方法。
【請求項１３６】
前記第３ユーザとの関連性に少なくとも一部分基づいて、第１ユーザ及び第２ユーザがマッチングされたことを指示する通知を前記第３移動装置へ送信するステップを更に備えた、請求項１３４又は１３５に記載の方法。
【請求項１３７】
可聴アラートを前記第３移動装置に送信するステップを更に備えた、請求項１３４から１３６のいずれかに記載の方法。
【請求項１３８】
前記第３移動装置への電話コールを開始するステップを更に備えた、請求項１３４から１３７のいずれかに記載の方法。
【請求項１３９】
前記第１ユーザと第２ユーザとの間のマッチングに基づいて前記第３ユーザのプロフィールを調整するステップを更に備えた、請求項１３４から１３８のいずれかに記載の方法。
【請求項１４０】
前記第３ユーザのプロフィールに関連した合計ポイントに加算されるポイントを前記第３ユーザに与えるステップを更に備えた、請求項１３４から１３９のいずれかに記載の方法。
【請求項１４１】
前記第３ユーザのプロフィールに関連した合計ポイントに基づいて前記第三者に賞を与えるステップを更に備えた、請求項１３４から１４０のいずれかに記載の方法。
【請求項１４２】
第１ユーザを第１移動装置に関連付けるエントリー、及び第１ユーザに対する複数の特性を含む、第１ユーザのプロフィールを用意するステップと、
前記第１移動装置に対する位置ベース情報を受け取るステップと、
前記位置ベース情報及び前記第１ユーザのプロフィールに少なくとも一部分基づいて、前記第１移動装置へプロモーションアイテムを送信するステップと、
を備えた位置に基づくプロモーション方法。
【請求項１４３】
前記プロモーションアイテムは広告を含む、請求項１４２に記載の方法。
【請求項１４４】
前記プロモーションアイテムはクーポンを含む、請求項１４２又は１４３に記載の方法。
【請求項１４５】
前記第１移動装置の位置ベース情報は、前記第１ユーザが店から規定の距離内にあることを指示し、そして前記プロモーションアイテムは、店の広告を含む、請求項１４２から１４４のいずれかに記載の方法。
【請求項１４６】
前記第１移動装置の位置ベース情報は、前記第１ユーザが店から規定の距離内にあることを指示し、そして前記プロモーションアイテムは、店のクーポンを含む、請求項１４２から１４５のいずれかに記載の方法。
【請求項１４７】
前記第１移動装置の位置ベース情報は、前記第１ユーザが店から規定の距離内にあることを指示し、そして前記プロモーションアイテムは、店への方向を含む、請求項１４２から１４６のいずれかに記載の方法。
【請求項１４８】
前記第１移動装置の位置ベース情報は、前記第１ユーザが店から規定の距離内にあることを指示し、そして前記プロモーションアイテムは、競争店の広告を含む、請求項１４２から１４７のいずれかに記載の方法。
【請求項１４９】
前記第１移動装置の位置ベース情報は、前記第１ユーザが店から規定の距離内にあることを指示し、そして前記プロモーションアイテムは、競争店のクーポンを含む、請求項１４２から１４８のいずれかに記載の方法。
【請求項１５０】
前記第１移動装置の位置ベース情報は、前記第１ユーザが店から規定の距離内にあることを指示し、そして前記プロモーションアイテムは、競争店への方向を含む、請求項１４２から１４９のいずれかに記載の方法。
【請求項１５１】
グローバルポジショニングシステムを使用して前記第１移動装置の位置を決定するステップを更に備えた、請求項１４２から１５０のいずれかに記載の方法。
【請求項１５２】
ユーザがユーザプロフィールを、ターゲットを定めた広告に使用するのを許すための動機を与えるステップを更に備えた、請求項１４２から１５１のいずれかに記載の方法。
【請求項１５３】
ユーザがユーザプロフィールの付加的な情報を用意するための動機を与えるステップを更に備えた、請求項１４２から１５２のいずれかに記載の方法。
【請求項１５４】
ユーザがユーザプロフィールを、店の販売員に情報を与えるのに使用するのを許すための動機を与えるステップを更に備えた、請求項１４２から１５３のいずれかに記載の方法。
【請求項１５５】
前記第１ユーザが訪問した位置に基づく行動情報は、第１ユーザのプロフィールに関連付けられ、そして前記プロモーションアイテムは、行動情報に少なくとも一部分基づく、請求項１４２から１５４のいずれかに記載の方法。
【請求項１５６】
前記行動情報は、前記第１ユーザが行った購入に関する情報を含む、請求項１４２から１５５のいずれかに記載の方法。
【請求項１５７】
テレビ録画装置を前記第１ユーザのプロフィールに関連付けるステップを更に備え、前記行動情報は、前記ユーザが前記録画装置に録画するテレビ番組に関する情報を含む、請求項１４２から１５６のいずれかに記載の方法。
【請求項１５８】
前記行動情報は、前記第１ユーザが訪問するウェブサイトに関する情報を含む、請求項１４２から１５７のいずれかに記載の方法。
【請求項１５９】
前記第１ユーザのプロフィールをプロモーションアイテムの送信にどのように使用できるかに関するルールを前記第１ユーザが指定するのを許すステップを更に備えた、請求項１４２から１５８のいずれかに記載の方法。
【請求項１６０】
前記ルールは、前記プロモーションアイテムを送信するのに使用できない前記第１ユーザのプロフィールの特性を指定する、請求項１４２から１５９のいずれかに記載の方法。
【請求項１６１】
複数のユーザのプロフィールを用意するステップであって、各プロフィールが各ユーザの移動装置に関連付けられるようなステップと、
前記移動装置のいずれかが会場に位置するかどうか決定するステップと、
前記会場に位置する前記移動装置に関連付けられたユーザのプロフィールを得るステップと、
前記得られたプロフィールを使用して、前記会場に表示されるべき広告を選択し又は変更するステップと、
を備えた位置に基づくプロモーション方法。
【請求項１６２】
複数の移動装置のいずれかが店に位置するかどうか決定する前記ステップは、グローバルポジショニングシステムを使用することを含む、請求項１６１に記載の方法。
【請求項１６３】
複数の移動装置のいずれかが店に位置するかどうか決定する前記ステップは、移動通信タワーによる三角測量を含む、請求項１６１又は１６２に記載の方法。
【請求項１６４】
複数の移動装置のいずれかが店に位置するかどうか決定する前記ステップは、既知の位置にある装置へのディジーチェーンを含む、請求項１６１から１６３のいずれかに記載の方法。
【請求項１６５】
複数の移動装置のいずれかが店に位置するかどうか決定する前記ステップは、前記位置にあるワイヤレス通信装置により信号を受信することを含む、請求項１６１から１６４のいずれかに記載の方法。
【請求項１６６】
複数の移動装置のいずれかが店に位置するかどうか決定する前記ステップは、前記位置に設けられた電子トークンを使用することを含む、請求項１６１から１６５のいずれかに記載の方法。
【請求項１６７】
複数の移動装置のいずれかが店に位置するかどうか決定する前記ステップは、前記位置における第１移動装置と第２移動装置との間のワイヤレス通信を含む、請求項１６１から１６６のいずれかに記載の方法。
【請求項１６８】
ユーザがユーザプロフィールを、ターゲットを定めた広告に使用するのを許すための動機を与えるステップを更に備えた、請求項１６１から１６７のいずれかに記載の方法。
【請求項１６９】
ユーザがユーザプロフィールの付加的な情報を用意するための動機を与えるステップを更に備えた、請求項１６１から１６８のいずれかに記載の方法。
【請求項１７０】
複数のユーザのプロフィールを用意するステップであって、各プロフィールが各ユーザの移動装置に関連付けられるようなステップと、
前記移動装置のいずれかが店に位置するかどうか決定するステップと、
前記店に位置する前記移動装置に関連付けられたユーザのプロフィールを得るステップと、
前記得られたプロフィールに基づく情報を、前記店の販売員へ与えるステップと、
を備えた位置に基づくプロモーション方法。
【請求項１７１】
複数の移動装置のいずれかが店に位置するかどうか決定する前記ステップは、グローバルポジショニングシステムを使用することを含む、請求項１７１に記載の方法。
【請求項１７２】
複数の移動装置のいずれかが店に位置するかどうか決定する前記ステップは、移動通信タワーによる三角測量を含む、請求項１７０又は１７１に記載の方法。
【請求項１７３】
複数の移動装置のいずれかが店に位置するかどうか決定する前記ステップは、既知の位置にある装置へのディジーチェーンを含む、請求項１７０から１７２のいずれかに記載の方法。
【請求項１７４】
複数の移動装置のいずれかが店に位置するかどうか決定する前記ステップは、前記位置にあるワイヤレス通信装置により信号を受信することを含む、請求項１７０から１７３のいずれかに記載の方法。
【請求項１７５】
複数の移動装置のいずれかが店に位置するかどうか決定する前記ステップは、前記位置に設けられた電子トークンを使用することを含む、請求項１７０から１７４のいずれかに記載の方法。
【請求項１７６】
複数の移動装置のいずれかが店に位置するかどうか決定する前記ステップは、前記位置における第１移動装置と第２移動装置との間のワイヤレス通信を含む、請求項１７０から１７５のいずれかに記載の方法。
【請求項１７７】
ユーザがユーザプロフィールを、店の販売員に情報を与えるのに使用するのを許すための動機を与えるステップを更に備えた、請求項１７０から１７６のいずれかに記載の方法。
【請求項１７８】
ユーザがユーザプロフィールの付加的な情報を用意するための動機を与えるステップを更に備えた、請求項１７０から１７７のいずれかに記載の方法。
【請求項１７９】
各エンティティに対する複数の特性及び各エンティティに対する少なくとも１つの位置を含む、複数のエンティティのプロフィールを用意するステップと、
第１ユーザを第１移動装置に関連付けるステップと、
第１ユーザがマッチングのための基準を指定するのを許すステップと、
第１ユーザの位置に関する情報を決定するステップと、
前記エンティティの少なくとも１つを、第１ユーザの位置に関する情報及び少なくとも１つのエンティティのプロフィールに少なくとも一部分基づく基準でマッチングさせるステップと、
を備えた方法。
【請求項１８０】
前記プロフィールはユーザからのフィードバックを含む、請求項１７９に記載の方法。
【請求項１８１】
前記少なくとも１つのエンティティはレストランであり、そしてレストランのプロフィールは、食品の形式及び批評格付けを含む、請求項１７９又は１８０に記載の方法。
【請求項１８２】
移動装置が少なくとも１つのエンティティの位置にある間に第１ユーザが移動装置でフィードバックを行なうよう促すステップを更に備えた、請求項１７９から１８１のいずれかに記載の方法。
【請求項１８３】
請求項１から１８２のいずれかに記載の方法の全部又は一部分に対するプロフィール及びインストラクションを含むコンピュータ読み取り可能な媒体。
【請求項１８４】
請求項１から１８２のいずれかに述べた方法の全部又は一部分に対するプロフィール及びインストラクションを含む移動装置。
【請求項１８５】
前記プロフィールが移動装置に記憶され、マッチングのための情報が移動装置間で直接的に交換され、そして移動装置の１つが、マッチングが生じるかどうか決定する、請求項１から１８４のいずれか。
【請求項１８６】
前記プロフィールがサーバーに記憶され、そして前記サーバーが、マッチングが生じるかどうか決定する、請求項１から１８５のいずれか。
【請求項１８７】
ユーザが移動装置に関連付けられ、そしてユーザの位置が移動装置の位置に基づく、請求項１から１８６のいずれか。
【請求項１８８】
メモリにプロフィールを有し、そして請求項１から１８２のいずれかに記載の方法の全部又は一部分に対するインストラクションを実行するようにプログラムされたコンピュータシステム。
【請求項１８９】
データベースを更に備え、このデータベースに前記プロフィールが記憶された請求項１８８に記載のコンピュータシステム。
【発明の詳細な説明】
【技術分野】
【０００１】
本発明は、一般に、人々及びエンティティに関するプロフィール情報を発生し及び収集し、そのプロフィール情報に基づいて前記人々及びエンティティをマッチングさせ又はフィルタリングするシステム及び方法に係る。
【背景技術】
【０００２】
ソーシャルネットワーキングシステムは、プロフィールを使用して、互いに会いたい人々を接続することができる。他の方法では会うことのない他人や友人を接続するという考え方は、有力なものである。しかしながら、これらシステムの価値は、マッチングを行なうのに使用される基礎的方法、即ち共通の仕事関係、社会的関係、家族関係、適合する肉体的特徴、或いは食べ物や衣服や余暇活動やスポーツや娯楽や音楽や芸術等についての自己宣言した好みのような基本的好みの特徴によって制限されることがある。
【０００３】
このような基本的なソーシャルネットワーキングシステムに伴う重大な問題は、マッチング基準の検証性及び真正性に欠け、質の低いマッチングの氾濫を招くことである。質の低いマッチングが多過ぎると、システム全体の信頼性を失い、全体的な有用性が不充分となり、且つこのようなマッチング基準を通して人に会った（エンティティに接続した）ときに信用上の問題を招くことになる。
【０００４】
別の問題として、このようなシステムは、アンケートに書き込むのと同様に、ユーザが個人的情報を入力することにより自己発生プロフィールを作成するという退屈な作業を実行することを強制する。これは、参加者にとって不便で、且つ誰もが信頼し得る基準がないという２つの問題を招く。第１に、多くの人々は、多忙であるか又は怠慢である。ユーザが多変量のプロフィールを作成し更新することに依存するシステムは、本来、欠点がある。非常に多くの人々が自分のプロフィールをつまらなくする。第２に、人々は、自己宣言情報のところに来ると異なる標準を有する。自分はワインの目利きと思い、又、誰かの定義によれば、自分は初心者と思うことがある。更に、自分のプロフィールを作成する際に自分で供給する情報は、システムにおいて自分を他のユーザと区別するのに有用でないことがある。例えば、自分は、自己発生プロフィールではレッドソックスのファンと言うことができる。しかしながら、この情報は、ボストン地域にいる数千の他のレッドソックスファンの中で区別するのに有用なものではない。微妙なものが失われている。例えば、自分は、熱狂的なファンで、自分のようにシーズンチケットを有する他の者に会いたい。換言すれば、段階的変化情報が重要であり、あるときには、それが失われるか、又は自己発生プロフィールで誤って特徴付けされることがある。
【発明の開示】
【発明が解決しようとする課題】
【０００５】
それ故、ユーザプロフィールに根拠及び標準を追加する改良されたシステム及び方法、理想的には、プロフィールを構築し維持する厄介なタスクの負担をユーザに掛けないシステム及び方法が要望される。又、ユーザを位置及び状況に基づいてマッチングさせフィルタリングする改良されたシステム及び方法も要望される。更に、人々を他の人々とマッチングさせるだけではなく、人々を、レストランやバーや組織やパーティや店や都市のような「エンティティ」ともマッチングさせるのを許す改良されたシステムも要望される。
【課題を解決するための手段】
【０００６】
本発明は、ソーシャルネットワーキングシステム及び方法に係る。位置に関連したデータ及び他の行動及び外因的に発生される特性を使用して、自己発生プロフィールに置き換え又はそれを補足し、システムを使用してなされるマッチングの質及び信頼性を向上させると共に、プロフィール情報の入力を容易にする。
【発明を実施するための最良の形態】
【０００７】
本発明の新規な特徴は、特許請求の範囲に特に記載する。本発明の特徴及び効果は、本発明の原理を使用した実施形態を示す以下の詳細な説明及び添付図面から良く理解されよう。
【０００８】
本発明の実施形態は、移動装置のユーザに対するプロフィール情報を収集し及び発生し、そしてそれらプロフィールに基づいてユーザをマッチングさせるシステム及び方法を提供する。特に、移動装置は、位置に基づく情報を発生し又は受信して、プロフィール情報の発生と、その情報を使用して、異なる状況におけるユーザをマッチングさせることの両方を増強することができる。特に、プロフィールと、それらを使用する仕方は、ユーザの位置と、ユーザにより確立されるプログラム可能なフィルタ及び設定とに基づいて変化し得る。例えば、土曜の夜にナイトクラブにいるユーザには、近くにいる友人について知らせるか、或いは共通の友人をもつ他のユーザや、又はマッチングを指示し又はソーシャルな会合を容易にする他の特性について知らせることができる。他方、ユーザが平日の産業見本市にいるときには、異なるプロフィール情報及びフィルタを使用することができる。状況は、ユーザにより（「仕事モード」、「ソーシャルモード」、等を手動で選択することにより）容易に設定することができ、及び／又は時間や場所や他のパラメータに基づいて装置により自動的に設定することができる。このために、装置は、あるプログラム可能なロジックを使用して、推測すべき統計学的情報、例えば、場所、時間及び他のファクタの組み合せが与えられると、ユーザが「ソーシャルモード」に入る見込みが最も高いという統計学的情報の使用を含む状況を自動的に決定し、これにより、ユーザ装置の設定を周期的に調整しなければならないトラブルからユーザを救済することができる。
【０００９】
プロフィール情報は、ユーザの行動特性、外因的に発生される特性、及びユーザ指定情報から発生することができる。更に、プロフィールは、ユニークな識別子と、プライバシー目的の１つ以上の匿名又は一時的識別子とを含んでもよい。次いで、プロフィールを使用して、ユーザ間のマッチングを提案するか、又はユーザにアイスブレーカー(icebreaker)（会話を開始するのに適した会話の話題）を与えることができる。
【００１０】
ユーザプロフィールにおけるデータフィールドは、データの形式（行動、外因、ユーザ指定又は他の形式）、並びにマッチング目的のためのデータの質を指示するために、タグ付けすることができる。質のファクタは、ユーザに対する特定データの関連性の指示と、情報の精度の信用性を含んでもよい。例えば、データは、ユーザが訪問した位置に基づいて収集されてもよい。しかしながら、ほとんどの日に位置の追跡ができなかった場合には、ユーザが訪問した小さな１組の位置に関するデータは、ユーザの行動に関する有意義な情報を与えないかもしれない。更に、データの信用性は、データのソース（例えば、ユーザ指定であるか、又は外因的ソースから得られたものであるか）に依存するか、或いはデータが信頼し得るソースにより検証されたものであるかどうかに依存する。例えば、私のユーザプロフィールは、私がジョー・スミスと友人であることを指示してもよい。この情報は、共通の友人をもつ人々をマッチングするための有用な仕方を与えることができる。しかしながら、ジョーは、私が友人であると全く考えていないこともある。従って、彼の友人であるボナ・ファイドは、私がジョーの友人であると信じて、私との会合に誤って導かれ、ジョーが私をほとんど知らないことを後になって知るしかない。この種の信用の問題は、マッチングに使用されるデータの信頼性を資格化する何らかの手段がないと、頻繁に発生する。データに他の信用指示がないと、情報の有用性を決定できず、マッチングシステム全体が問題となる。マッチングシステムが接続に信頼性があることを植えつけるよう意図されているとすれば、人々がシステムを信頼して最終的にだまされたと感じ、真実を偽って関連付けされたことしか見出せないような悪用を招き得る。他方、この情報（及び一般的にはシステム）の信用性は、ジョーが我々の関係を確認し、検証し、又は評価するか、又は（同じことを行なう別の仕方として）私の行動プロフィールが（ＧＰＳ追跡又は他の手段を通じて）私がジョーと物理的に長い時間を費やしたことを指示するか、或いは私が彼と電話やｅメールで定期的に通信する場合には、改善することができる。従って、ユーザが提示した情報を、観察した行動から得た行動情報で補足することで、マッチングを行なうのに使用するデータの信憑性を著しく高め、ひいては、ユーザの全体的な経験を改善することができる。
【００１１】
図１は、本発明の実施形態に関連して使用できる移動装置１００を例示するブロック図である。この移動装置は、例えば、パーソナルデジタルアシスタント（ＰＤＡ）、セルラー電話、ラップトップコンピュータ、ページャー、又は他の通信装置でよい。例示的装置１００は、中央処理ユニット１０２と、メモリ１０６と、ネットワークインターフェイスカード（ＮＩＣ）１１０と、グローバルポジショニングシステム（ＧＰＳ）１１２と、これらコンポーネント間で通信するためのバス１０４とを備えている。メモリ１０６は、移動装置１００のユーザに関するプロフィール情報と、他のユーザをマッチングさせるためのターゲットプロフィールと、これらプロフィールを使用するための設定及びフィルタとを含むプロフィール情報１０８を記憶することができる。又、メモリ１０６は、関係データベース、フラットファイルシステム、或いは他のデータベース又はファイルフォーマットでプロフィールを記憶してもよい。装置１００に関するこの情報の記憶は、特定のネットワーク又はサーバーへの接続があるかどうかに関わらず、他の装置に遭遇したときに（例えば、Ｂｌｕｅｔｏｏｔｈ又は他の通信インターフェイスを経て）アドホックな（その場限りの）ベースでマッチングが生じるのを許す。例えば、図２は、２つの移動装置２０２及び２０４が直接通信を使用して、選択されたプロフィール情報（例えば、潜在的マッチングを指示するターゲットプロフィールを含んでもよい）を交換するところを示している。いずれの装置も、マッチングがあるかどうか決定し、そして他のユーザに通知を送ることができる。
【００１２】
プロフィール情報１０８は、メモリ１０６に記憶されてＣＰＵ１０２で処理されるアプリケーションソフトウェアにより使用することができる。この情報の全部又は一部分を個別のネットワークサーバーに記憶して、このサーバーがユーザプロフィールを発生、維持及び処理するようにしてもよい。ＮＩＣ１１０又は他のネットワークインターフェイスが外部ネットワークにアクセスして、ネットワークサーバー及び／又は他の移動装置との通信を許す。
【００１３】
ある実施形態では、ユーザは、彼の札入れ内のカードのような受動的識別子を使用して参加することができる。システムが、顔確認ソフトウェアを実行しているコンピュータに接続されたカジノスタイルのカメラによるユーザの肉体的特性のみにより、或いは他の生物測定学的識別子を通して、ユーザを追跡できる場合には、ユーザは、実際に、何も行わずに又は何ももたずに、参加することができ、即ちユーザのプロフィールは、システムがユーザを「ウオッチ」しているので、システムにより必要に応じて更新及び検索される。ある実施形態では、このシステムを使用するように意図された装置及び機器は、人々の身体に埋め込まれるチップ及びデバイス、生物測定学的識別子、及び他の追跡技術と置き換えることができる。従って、本発明の実施形態は、スマートホン及び他の移動装置に限定されず、実施可能な他の技術も包含するように適応され得る。
【００１４】
ＧＰＳ１１２は、プロフィール情報を発生しそしてユーザをマッチングするのに使用できる位置データを発生する。グローバルポジショニングシステムから発生される位置情報に代わって又はそれに加えて、他の位置ベース情報を発生し又は受信することができる。ある実施形態では、位置情報は、セルラー電話ネットワークに基づいて（例えば、電話が位置するセルに基づいて、又はより精巧な三角測量技術により）発生することもできるし、或いは位置データが入手できる装置又はネットワークアクセスポイントへの接近度を決定することにより発生することもできる。換言すれば、位置データをもたない装置は、自分の位置を知っている装置と直接的又は間接的に通信できる場合には、その位置を少なくともおおよそ知ることができる（例えば、ＧＰＳに依存するが屋内にあって空を見ることができない装置は、空を見ることのできる近傍の装置からの位置情報を通過するようにディジーチェーン化することができる）。更に、特定の会場が、特定の位置、催し又は活動に関する情報を放送するか又は他のやり方で提供することができる（例えば、Ｂｌｕｅｔｏｏｔｈ、Ｗｉ−Ｆｉ又は他のメカニズムを通して）。ユーザが、ナイトクラブ、遊園地、スポーツ競技場、コンサートホール又は他の会場に入ったり出たりするときに、その位置や、催し又は活動に関する他の情報を指示するメッセージを移動通信装置に送信することができる。会場の異なる部分に対して異なるメッセージを送信して、例えば、マルチスクリーン映画館にいるユーザの装置が、ユーザがどの映画を見るか知ることができるようにする。又、ユーザの相対的な位置を決定するためのローカル三角測量システム又はメカニズムを使用して、特定の「マイクロ位置」を識別するか、又はユーザが会場内で互いを見つける上で助けとなることができ、これは、特に、ユーザが互いに知らないときに、例えば、混雑したバーの中で他人と他人との間にマッチングが生じた場合に、有用である（マイクロ位置方法は、２人のユーザ間に受信される信号の強度及び方向を含み、従って、コンパスのように働き、矢印がターゲットユーザを指すと共に、「ホット／コールド」計器が距離を指示する）。指定の範囲内にある他のユーザ及び装置の識別は、プライバシーの保護手段を組み込んだユーザプロフィールに使用するために、収集されてタイムスタンプが押される（例えば、あなたの付近の人々に関する、名前ではなく、あるメタ情報の記録及びタイムスタンプ処理）。更に、他のユーザ及び装置が位置情報（例えば、ＧＰＳの位置、ユーザが入力する位置、等）を含む場合には、たとえユーザの装置がこの情報を発生できなくても、この情報をプロフィールに関連付けることもできる。
【００１５】
同じ会場にいる人々に関するデータを使用して、ユーザのプロフィールを向上させることができる。例えば、ユーザが金融部門の仕事についている２０代及び３０代の人々が存在するバーに行く場合に、これを使用して、マッチングの選択肢を通知できるユーザについてシステムに「教える」ことができる。同様に、所与の位置を訪問する人々に関して知られている情報を使用して、場所自体のプロフィールを構築することができ、従って、あるバーは、１日の時刻や、フェンウェイ・パークでその日にゲームがあるかどうかに基づいて、オートバイ熱狂者、レッドソックスファン、又はその両方のたまり場として「エンティティ・プロフィール」を展開することができる。エンティティが、それに関連したプロフィール情報を有する場合には、そのバーに行こうと考えている誰かが前もってこの情報にアクセスすることができる。あなたがそのバーの常連客に適合するかどうか予想するために、プロフィールマッチングアルゴリズムを使用することができる。行動情報（例えば、ユーザが特定のバー又は特定「形式」のバーに頻繁に行くかどうか）及び／又はユーザ宣言情報（例えば、ユーザが所与の場所でその経験を明確に評価するとき）を使用するフィードバックシステムを用いることができる。エンティティのプロフィール及びその客のプロフィールは、動的に相互作用して、互いに構築し、時間と共に保証されて進化することができる。
【００１６】
時間を費やす場所、例えば、バーやナイトクラブや学校やレストランやカントリークラブやバケーションリゾートや会社（あなたが雇われるかもしれない）、等を選択するこのプロセスは、テクノロジーからの支援なしに今日起こる何かであり、即ち人々は、その場所が好きであれば、そこ行って帰る。或いは、人々は、友人からの推薦に基づいてその場所へ行く。本発明の実施形態は、時間及び努力を若干除去すると同時に、非効率的で且つ試行錯誤により特徴付けられる人間のプロセスに統計学的分析の要素を導入するように働く。これは、人間発見の思いがけない性質又は切り札的主観的推薦を排除することを意図せず、むしろ、補足的なガイドシステムとして有用であることを意図している。
【００１７】
図３は、本発明の実施形態によるネットワーク３００を示す図である。このネットワーク３００は、ネットワークサーバー３０２及びデータベース記憶システム３０４を備えている。データベース記憶システム３０４は、システムのユーザに関するプロフィール情報を記憶する。データベース記憶システム３０４は、プロフィールを関係データベース、フラットファイルシステム、或いは他のデータベース又はファイルフォーマットで記憶してもよい。ネットワークサーバー３０２は、移動装置及び他のソースから情報を収集して、プロフィール情報を発生する。例えば、ネットワークサーバー３０２は、システムの他のユーザと通信するためのｅメールアカウントの使用に関する情報を収集してもよい。又、ネットワークサーバー３０２は、ユーザの位置に関する情報も収集し、この情報に基づいてユーザをマッチングするようにプロフィールを処理する。この情報の幾つか又は全部を個々の装置に記憶し、アドホックマッチングを許すことができるが、ネットワークサーバーを使用することで、特定のユーザがその位置にいてもいなくても、会場に関する情報を収集することが許される。例えば、サーバーは、特定のナイトクラブにいるユーザの数、潜在的にマッチングするユーザの数、又は特定の友人がその位置にいるかどうか決定することができる。あるユーザは、特定の位置へ行くべきかどうか判断するためにこの情報を前もって要求することがある。又、特定の会場における広告機会を評価する（例えば、スポーツイベントにおけるユーザのプロフィールに基づいてそのイベントにおけるモニタに広告を表示すべきかどうか決定する）目的、又は他の目的で、集合した（又は個々の）プロフィール情報を設けることもできる。又、ネットワークサーバー３０２は、会場及びそこへ行く人々に関する経歴情報を収集するのに使用することもできる。このような情報は、誰がいつ会場に頻繁に出かけるかのようなパターンを知ることに関心のある人々にとって有用である。ユーザは、例えば、共通の友人をもつ人々が所定のクラブに頻繁に通う傾向があるかどうか知りたいかもしれない。同様に、不正な待ち合わせを計画する場合には、知っている者が現在会場にいないこと、或いは正規の客、又はおそらくそこに現れる者を確認することを希望する（その見込みは、統計学的な分析、及び知人のプロフィールとエンティティのプロフィールとのクロスマッチングにより決定される）。
【００１８】
ここに例示する実施形態では、サーバー３０２は、他の装置と通信するためにインターネット３０６に接続される。他の実施形態では、サーバーを、ワイヤレスネットワーク、セルラー電話システム又は他のネットワークに直結することができる。ここに例示する実施形態では、移動装置３１０、３１４、３１６、３２４、３２６及び３２８は、サーバー３０２及び他の移動装置との通信を許すために種々の方法によりインターネット（又は他のネットワーク）に接続することができる。例えば、装置３１０は、インターネットへの接続を与えるパーソナルコンピュータ３０８と同期することができる。データは、パーソナルコンピュータ３０８を経てサーバーと交換することができる。更に、ユーザプロフィールのためのデータは、パーソナルコンピュータ３０８が特定の移動装置に接続されるかどうかに関わらず、このパーソナルコンピュータ３０８を通して入力することができる。同様に、ユーザプロフィールのためのデータは、（ネットワーク化された）機器（３３０、３３２）、例えば、ＤＶＲ、スマートカード、デジタルブックリーダー、等から送られてもよい。又、移動装置３１４及び３１６は、インターネットへの接続を与えるワイヤレスサーバー３１２を経てネットワークに接続されてもよい。例えば、ワイヤレス「ホットスポット」は、コーヒーショップ、図書館、及び他の位置に次第に設けられてきており、システムのユーザが訪問するナイトクラブ、スポーツイベント会場、又は他の会場に設けることもできる。又、移動装置３２４、３２６及び３２８は、セルラー電話ネットワークを経てサーバー３０２に接続されてもよい。移動テレコミュニケーションスイッチングオフィス３２０及び３２２は、セルラーテレコミュニケーションプロトコル（例えば、ＣＤＭＡ、ＧＳＭ、ＴＤＭＡ又は他のプロトコル）を使用して、移動装置３２４、３２６及び３２８と通信することができる。移動テレコミュニケーションスイッチングオフィス３２０及び３２２は、次いで、ローカルオフィス３１８を通してインターネット３０６に接続することができる。
【００１９】
図４は、本発明の実施形態に基づくユーザプロフィール４００のブロック図である。図４は、例示的ユーザプロフィールに対するデータ構造を示しているが、他のデータベース、データ構造及びフォーマットを使用して、ユーザプロフィールに希望のデータを記憶しそして関連付けできることを理解されたい。移動装置１００及び／又はネットワークサーバー３０２を使用して、ユーザプロフィール４００を発生し更新することができる。又、ユーザプロフィールは、他のシステムからインポートされてもよい。
【００２０】
例示的ユーザプロフィール４００は、関係データベースに記憶できると共に、プロフィールデータ４０２及び設定４１６を記憶するための関連テーブルを有することができる。データテーブル４０２は、プロフィールの一部分として記憶されるべき種々の特性に対するエントリーを含んでもよい。各特性は、データテーブル４０２における行として記憶されてもよい。データテーブル４０２は、プロフィールが個人のためのものか又はエンティティ（例えば、レストラン、娯楽会場、等）のためのものかを指示するエントリー、ユーザ形式４５０、を含んでもよい。例えば、エントリーは、そのエントリーを識別するためのフィールド識別子４０４、データ値４０６、データの形式４０８、関連性４１０及び信用性４１２のような質の指示子、並びに設定テーブル４１６における適用設定４１４へのポインタ又は他のリンクを含んでもよい。設定テーブル４１６は、データテーブル４０２内のエントリーをマッチング及び他の目的に対してどのように使用するか制御する設定及びパラメータを含む。設定テーブル４１６は、ユーザ設定４１８と、システム（例えば、移動装置１００又はネットワークサーバー３０２のアプリケーションソフトウェア）により確立されたデフォールト及び自動設定４２６とを含む。ユーザは、種々の使用に対するデータエントリーの利用性４２０、データエントリーが単独で使用されるか、又は使用の前に他の特定の情報と集合させねばならないか４２２、及び他のプライバシー設定４２４を制御する設定を与えてもよい。これらオプションの各々に対するデフォールト設定を確立してテーブル４２６に記憶してもよい。更に、自動設定は、ユーザにより変更できないオプションについてシステムによりテーブル４２６に記憶されてもよい。
【００２１】
以下、データテーブル４０２と、このテーブルに記憶できるエントリーの形式の例を詳細に説明する。データエントリーは、データがどのように収集され又は発生されたかを指示する形式４０８を含む。データの形式は、ユーザの行動に基づいてシステムにより収集された行動特性と、ユーザ以外のソースから収集された外因的情報と、ユーザにより与えられた情報とを含んでもよい。又、データ入力は、情報の質及び有用性の指示も含む。図４に示す例では、関連性４１０及び信用性４１２を、テーブルに記憶されたデータに関連付けることができる。関連性４１０及び信用性４１２は、情報がどのように収集され、発生され及び／又は確認されたかに基づいて数値格付けで指示することができる。例えば、関連性４１０は、行動特性又は複合データが大きなサンプルサイズから発生されたものかどうか指示してもよい。例えば、データエントリーがユーザの位置に基づくものである場合には、ユーザの位置を追跡できなければそれを発生することはできない（これは、装置の設定４１６により制御することもできるし、又はポジショニングシステムの範囲及び利用性により制限されてもよい）。ユーザの位置が広範囲に追跡される場合には、このデータエントリーは、ユーザの行動の指示子として、より大きな関連性を有してもよい。例えば、同じコーヒー店で毎朝コーヒーを飲む２人の人の間でマッチングがとられてもよい。この情報は、少なくとも、アイスブレーカーとして働くように使用できる。又、信用性４１２も指示することができる。高レベルの信用性を、システムにより追跡された行動から発生されるデータエントリー、安全なトークンの形態で与えられるデータ、或いはユーザ宣言データに対抗して付加的なソースにより検証され又は格付けされた情報に関連付けることができる。
【００２２】
ユーザプロフィールにおける行動及び外因的発生情報の使用は、システムにより行うことのできるマッチングの質及びマッチングの形式を著しく向上させることができる。以下、本発明の実施形態によりサーバー３０２及び／又は移動装置のアプリケーションソフトウェアの一部分として含まれる位置従属マッチングエンジンを向上させるのに使用できる行動及び外因的発生特性を例示する。
【００２３】
電話及びｅメールの使用：フラットな連絡先リストに依存したり、ユーザが連絡先リストにおいて皆を分類することを要求したりするのではなく、ネットワークサーバー３０２又は移動装置１００は、実際の電話、ＳＭＳ及び／又はｅメールの使用（及び／又は他の通信装置、或いはＰＣを含むアカウント又は接続機器）を監視して、ユーザが実際に知っているのは誰か、及び関係の性質（仕事・対・社交）に関する情報を推測することができ、即ちこの全てを自動形態で収集するシステムは、常時手動入力を要求するシステムより豊富である。私がジョン・バーンズと毎日１時間話しをする場合には、私が彼を非常に良く知っていると推測することができる。その結果、私は、今入った商店街にジョン・バーンズが偶然いるかどうか知りたくなり（その逆のことも言える）、一方、私の連絡先リストに入っているが数年前に一度５分間だけ話したことのある誰かと会うことには必ずしも注意していない。（或いは又、ユーザがより緩い且つより離れた接続を求める状況があってもよい。というのは、それらは、親密な関係よりも多数のものとなる傾向があり且つユーザのネットワークを遥かに遠くに拡張するので、より大きな価値を時々与えるからであり、これは、仕事を探したり、セールスの客になりそうな人等を探したりするときに特に有用である。ビジネスの感覚では、多数の遠い連絡先の方が、実際には、非常に親密な連絡先の小さなグループより価値があるという理論がある。）この実際の使用情報は、マッチングに使用したときに、フラットな連絡先リストより豊富である。又、これは、相互利益をある程度追加し、即ち、たとえ私の連絡先リストにグウェネス・パルトローがどういうわけかあるとしても、彼女が友人であるとは請求できない。というのは、私は、電話で彼女と話したことがないからである。相互利益性及び真正性は、第２等級のマッチング（即ち、２人の人が相互の知人を経て接続される）にとって重要なファクタである。というのは、２人の他人が、共通の誰かを知っていることが分かったときに生じる瞬間的な信頼性にあなたがてこ入れしようとする場合に誠実な仲介を介して人々を接続することが重要だからである。行動情報は、より大きな豊富さのためにユーザ入力情報と結合できることに注意する価値がある。例えば、ユーザが電話で誰かと話しているときに、そのような会話の記録が自動的にログされる。この記録は、次いで、前記会話及び前記連絡に注釈付け又は格付けするユーザからのコメントで豊富さを増すことができる。
【００２４】
このデータは、ネットワークサーバー３０２又は移動装置１００（又はＰＣに接続する移動装置）によりユーザプロフィール４００に入力することができる。例えば、移動装置１００は、メモリ１０６に連絡先リストをもつセルラー電話でよい。セルラー電話は、連絡先リスト内の各個人へのコールの頻度、及びコールに費やした時間量を追跡することができる。更に、頻繁にダイヤルされる番号（又はあなたに頻繁にコールする人々の番号）を連絡先リストに自動的に追加することができ、他の連絡先情報が得られない場合でも、データに電話番号を関連付けることができる。ラップトップコンピュータ又は移動ｅメール装置（セルラー電話と同じ装置でも異なる装置でもよい）は、種々のｅメールアドレスから送信及び受信されるメッセージの数を追跡することができる。この情報は、別々に追跡することもできるし、又は連絡先リストに関連付けることができる。ネットワークサーバー３０２及びデータベース記憶システム３０４は、多数の移動（又は非移動）装置が同じユーザプロフィールに登録されるのを許すことができる。このように、ｅメール使用及び電話使用の両方を、ユーザ連絡先リストにおける特定の個人に関連付けることができる。通信が行なわれる連絡先（又は特定のｅメールアドレス又は電話番号）がユーザプロフィールのデータテーブル４０２にエントリーとして追加されてもよい。例えば、フィールド４０４は、「ジョン・バーンズ」のような連絡先のために追加されてもよい（これは、関係データベースを経て個人のための他の連絡先情報にリンクされてもよい）。値４０６は、通信の頻度及び時間巾を表わす数字でよい。形式４０８は、行動として分類される。関連性４１０は、サンプルサイズが大きいかどうか（追跡がオンにされたか及びどれほど長いか）、並びにｅメール及び電話の両アカウントが追跡のためにシステムに登録されたかどうかに基づく数値でよい。信用性４１２は、通信が全連絡先記録（又はｅメールアドレス又は電話番号のみ）に結合されたかどうか、ジョン・バーンズも登録されたユーザであるかどうか、彼がユーザを友人として識別し及び／又は彼の連絡先情報又は通信使用情報が特定のユーザプロフィールの情報とマッチングするかどうか、物理的接近性の履歴、又はデータの信頼性を示す他のファクタがあるかどうかを指示する数値でよい。
【００２５】
物理的接近性：人々の間の普通の電話対話と同様に、物理的接近性は、関係、及びその親密さの度合いを指示することができる。例えば、Ｂｌｕｅｔｏｏｔｈイネーブル型移動装置は、２人（又はそれ以上）の人が互いに費やす時間を自動的にログすることができ、これを使用して、関係を「認証」することができる。これは、２人の人が同じ場所にいるが同時ではないことを示す「タイムシフト」接近性を含み、これは、関係を確立するのに有用な補足的情報でもある（例えば、彼らは、たとえ常に同時でなくても、同じ寄宿舎に住んでいるか、又は定期的に同じ図書館へ行く）。物理的接近性は、個別のデータエントリーとして使用することもできるし、又は電話及びｅメールの使用と集合させて、他人との関係のレベル（システムの登録されたユーザであるかどうか）の代用として使用する全体的なデータ値を発生することもできる。
【００２６】
あなたはどこへ行くか：更に、ユーザが訪問する位置を使用して、他のデータエントリーとのマッチングをとるか、又はそれに対する信用性を向上させることができる。フィールド４０４は、頻繁に訪問する位置に対して追加されてもよい。値４０６は、ユーザが著しい時間を費やした位置の座標でよい。このデータは、これらの位置を訪問したときの日時で分離され、仕事の時間中に訪問した位置を、週末又は夜に訪問した位置から区別することができる。又、会場は、ワイヤレス能力も有し、訪問した場所（特定のアーティストが演奏するときのコンサートホール、遊園地、スポーツイベント、等）に関する付加的な情報をタグ又はトークンに与えることができる。この情報を使用してマッチングを行なうのに加えて、例えば、会話に対する潜在的なアイスブレーカーとしてこれをユーザに与えて、２人の人が両方ともエルビス・コステロのファンであることを知らしめることができ（両者がコンサートで彼を見たという事実により）、これは、「座を和やかにする(breaking the ice)」方法として論じたい何かである。データにデジタルサインが入れられるか、他の仕方で、スプーフィングし難くされる場合には、データの検証にトークンを使用できることが追加されねばならない。
【００２７】
又、「あなたはどこへ行くか」情報は、マーケッティングの目的であなたについてもっと知りたい広告主や他の会社により使用することもできる。例えば、あなたが同じ映画を何回も見たことを示すトークンは、マッチングの目的（あなたの関心を他の同様のハードコアファンに知らせる）だけでなく、広告主にとっても有用である。スパイダーマンの市場取引者は、最初の映画を（映画館で）少なくとも３回見たことを立証できる人々だけに特殊なメッセージ又はプロモーションを送信することによりその続編を誇大広告することを希望する。これは、以下のように入念に作られる。
【００２８】
又、データを使用して、他のデータエントリーの関連性４１０及び信用性４１２を向上させることができる。例えば、私がレッドソックスのゲームを年間８１試合見に行く場合には、自己発生プロフィールの場合より大きな重みをレッドソックスにおける私の関心に置くのが適当である。又、この情報は、ユーザが手動で入力することを必要としない。これは、ゲームがある日にフェンウェイ・パークへ行きさえすれば自動的に記録することができる（位置追跡装置を使用するか、或いは私のマッチング装置に、フェンウェイ・パークにおける送信器又はメーティング(mating)装置或いは催し物における他のネットワーク装置と対話することにより私がどこにいるか「知らせる」ことにより）。主観的である自己発生特徴とは異なり、私の位置に関する事実は、客観的で且つ検証可能であり、データテーブル４０２内の信用性４１２について高い値を指定することができる。（これらの装置や、位置に基づくマッチングシステムが普及し、システムの信頼性及び有用性を脅かすので、スプーフィングは問題になると仮定し得る。デジタルサインを入れたトークンのような認証メカニズムを使用すると、人々又は他の関心のある当事者（最も熱狂的なファンに特殊な取引をオファーする広告主のような）に、あなたは、実際に、あなた（又はあなたのプロフィール）が、あなたがいると指示した場所にいたことを「証明」することができる。
【００２９】
他の行動：どんなコーヒー店にあなたが頻繁に行くか、どんなジムにあなたが行くか（どんな頻度で）、何時にあなたが目覚めるか、毎週日曜日にあなたが教会に行くかどうか、どんなＴＶショーをあなたがデジタルビデオレコーダー（ＤＶＲ）に録画する（又は見る）か、どんなウェブサイトにあなたが訪れるか（又、あなたが何を購入し、どんなクッキーをあなたが自分のコンピュータに有し、さもなければ、オンラインで何をするか）、そしてそのことについて、追跡可能な装置又は機器、或いは追跡可能な行動を使用した行動は、全て、あなたが誰であるかを話している。従って、それらは、あなたがプロフィールにおいてあなた自身について何を言うかのマッチング及び補足或いは切り札も向上させることができ、即ちそれらは、自動的に（ユーザの観点から受動的に）生じるので、あなたが「エンター」するためにも容易である。これらのファクタは、装置の位置／移動に基づいて追跡できると共に、ネットワークサーバー３０２又は移動装置に接続された（直接的又は間接的に）他の装置及びシステムにより追跡することができる（例えば、録画され及び視聴されたＴＶショーを追跡するＤＶＲサービス、或いは電話の使用を追跡するセルラー電話ネットワーク）。これら種類の活動は、厳密には、容易に得られるものであるから、困惑を回避すると共に、単にユーザのプライバシーを保護するために、それら活動の監視を止めるのが望ましいことがある。
【００３０】
フィードバックシステム：又、フィードバックシステムを使用して、ユーザプロフィール４００にデータエントリーを発生するための情報を与えることもできる。人々がフィードバックであなたに「タグ付け」する能力を有するときに何が起こるか？あなたの前のガールフレンドはあなたを軽蔑するか？あなたが、あなたのプロフィールに、あなたについて外因的に発生された格付けであって、あなたが編集できない格付けを有する場合には、他人があなたを評価する上で助けとなる。その結果、あなたは、あなたの「個人的信用格付け」を没落させる人々を望まないので、「良い」行動を導く。このように、これは、誰かを信頼できるかどうかについて他人に通知するのに有用なＥＢａｙフィードバック格付けに類似している。「友好的な行動ポイント」を「収集」して示すのも面白い仕方である。積極的な対人関係格付けを構築して維持するための強力なカルマ(karmic)成分もある。これらのデータエントリーは、システムにより追跡される上述した行動データエントリーとは異なる形式４０８を有する。これらのエントリーは、一般的に外因的データとして、又はより詳細には別のユーザからのフィードバックとして、タグ付けすることができる。値４０６は、種々のカテゴリーにおける格付けでよく、そして特定のコメントも含むことができる（コメントの性質、誰がアクセスを求めるか、及びこの強力な情報に適用できる他のルールに基づいて、他人に見えても見えなくてもよい）。関連性４１０は、受け取るフィードバックの量に基づいてもよく、そして信用性４１２は、フィードバックを与える個人（その個人それ自体が正のフィードバック格付けを有するか？）、及び（位置又は通信追跡により）その個人との関係を検証できるかどうか、に依存してもよい。
【００３１】
安全なトークン：レストラン、バー、クラブ、共同体、教会、大学、及び他の会場や協会は、ユーザのプロフィールに追加することのできる認証（デジタルサイン入り）「トークン」を与えることができる。これらのトークンは、新たなデータエントリー４０２を発生してもよいし、又は既存のデータエントリーの信用性４１２を高めるのに使用されてもよい。これは、人々が、誰もが「本当」であるか、即ち本当にクラブのメンバーであるか、本当にそのジムに所属しているか、本当にビラノバの卒業生であるか、本当に軍隊からの名誉除隊であったか、本当にデルタ・プラチナム・メダリオンの頻繁に航空機を利用する人であるか、良く見るようにさせる。これは、マッチング状態において有用であり、即ち女性がバーにいて仲間の同窓生と会合を開くときに、彼女の母校の卒業生だと言っている者や、そこで時間を費やしたが卒業はしなかった者ではなく、本物の卒業生であることを確かめるのが重要である。
【００３２】
あなたが知っている人々：連絡先リストは、ユーザをマッチングさせる有用な手段であり、即ち共通の知人を仲介者として使用することは、ユーザをマッチングさせる強力な仕方である。頻発する問題は、連絡先リストが、あなたの実際の全知人のうちの一部分に過ぎないことである。連絡先リストの有効性をマッチング方法として最大にするために、エントリー（あなたが知っている人々の）は、通常の連絡先リストと、上述したように観察された行動とに基づいて発生することができる。又、これらのエントリーは、ユーザにより手動で入力し、行動特性（上述したような）又は外因的情報、例えば、関係（及びその親密さレベル）を知っている知人からの手動フィードバック、又は知人のユーザプロフィールにおける対応入力の存在により信用性４１２を増加（又は減少）してもよい。以下に詳細に述べるように、マッチング又はアラートは、友人が近くにいるとき（位置データ及びユーザプロフィールに基づいて）、又は１人以上の共通の友人をもつ個人が近くにいる（又は実際に近くにいて且つ共通の友人がある）場合に、発生されてもよい。例えば、システムは、あなたの最良の友人の良い友人が、あなたが食事しているコーヒー店を歩いて通り過ぎようとしていることをあなたにアラートすることを希望する。
【００３３】
このテーマを拡張すると、他の情報を使用して、あなたのプロフィールをより豊富にすることができる。幾つかの例：デジタルキャッシュ又はクレジットカードであなたが行なう（オンライン又はオフライン）購入；取引の明細をあなたのプロフィールに一体化することができる。ＥＢａｙフィードバック格付けは、あなたのプロフィールに添付し、そして「ＥＢａｙを越えて」使用することができる（人々は、人々と会い、又は人々を雇い、又は高いＥＢａｙフィードバック格付けを有する人々と商売することだけを希望してもよい）。どんなデーティングサイトにあなたが所属するか（及びそれらのサイトに関する情報）は、あなたのプロフィールと共有することができる。あなたが見た広告（オンライン又はオフライン）、及びあなたが何らかの仕方で応答する広告は、あなたに物を売ることを希望する市場取引者にとって貴重である。より一般的には、あなたの信用格付け、警察レコード、医療レコード、運転レコード、グレード及び仕事の実績格付け、及び種々の実生活活動からの他の「スコア」をあなたのプロフィールに一体化させて、マッチング又は他の目的で助けとなるようにすることができる。（あるケースでは、検証のためにデジタルトークンを使用することができる。）この情報をあなたのプロフィールに使用することは、誰かがあなたに会い、あなたを雇い、あなたに信用を与え、あなたに特別なプロモーションをオファーし、又はあなたに広告を示す（挑戦可能な広告掲示板のような動的にターゲット決めされる広告方法の場合には、オンライン又はオフラインのいずれか）ことを希望するかどうか含んでもよい。
【００３４】
この情報は、全て、人々が他人について素早く学習し信頼する上で助けとなる強力なものである。又、過去の購入行動は、将来の購入についての強力な手掛かりであるから、これは、ビジネスにとっても貴重である。オンラインで開発される同技術の幾つかは、例えば、歯医者の広告を、「シカゴの歯医者」をＧｏｏｇｌｅで丁度サーチした個人にオファーするというものである。この場合に、どんなユーザがオンラインでサーチするか、家の近くの商店街においてクレジットカード又はデジタルキャッシュで何を買うか、どんな映画を見るか、どんなレストランで食べるか、どんなテレビ番組を録画し及び／又は見るか、等の行動データの豊富な配列を組み合せることにより、市場取引者が人々とそれらの製品との間で１対１のマッチングを行うための非常に強力な機会がある。人々の間で接続をなす方法を提案するが、人々と、「生命のないエンティティ」、例えば、会社との間のマッチングも、本発明の重要な要素である。位置データを含む行動データを収集して処理するシステムは、取引上の性質のもので、ユーザにアピールし、ビジネスの助けとなるアラートを送信する能力を有する。その一例として、ある店は、あなたが競争相手の店に入ったときに、あなたにアラートを送信し、おそらくあなたに割引を申し出ることであなたを誘惑する。別の例は、誰が広告掲示板を見るか（及びユーザのプロフィールに基づきそのユーザについて何を知っているか）に基づいてその広告掲示板を動的に変更させることである。更に別の例は、市場取引者に有用なパターン、例えば、レッドソックスのゲームを見る人は、ダンキンドーナツを、見ない人の２倍は頻繁に食べる傾向があることを決定することである。このように、これを使用して、広告キャンペーンに対する成功（資本に対する返礼として測定された）を良好に決定することができる。例えば、特定のハイウェイに沿ったグレート・アドベンチャーの広告掲示板を見た人の何パーセント（位置追跡データにより決定される）が６ヶ月以内にそこを訪れるか。ここに述べる行動情報の粒度は、従来達成された何かより遥かに大きい。多くの人々は、自分の行動が監視され、移動が追跡され、プロフィールへと合成されて、広告主とで共有されることを望まないが、この情報が、友人に会ったり、ターゲットプロフィールに適合する他人との面会を設定したりする等の、ここに述べる社会的利益の幾つかのために追跡されることは望むであろう。このデータが１つの目的で収集されると、人々は、それを市場取引の会社と選択的に共有するための動機付けがあることを見出すことができる。賭博をする者が行動情報をカジノと共有して補足的な収入を得たり、旅行者が飛行履歴を航空会社と共有して無料フライト及び優先的取り扱いの資格を得たりするのと同様に、人々は、プラダで＄１０００を遣うので、彼らが商店街に入ると、１つおきの女性向けファッションストアが「アラート」を送信し、その店に来るものに特別割引を申し出ることについて、真価を認めることができる。広く述べると、個人的情報を市場取引者と共有するための動機付けは、キャッシュの支払、人々の関心事について良好にターゲット定めされた広告メッセージ、取引を得るのが容易な会社からの特別オファー、及びマッチングシステム等と対話するための無料又は助成金が払われる装置、或いはサービス料金、を含むことができる（これらに限定されない）。
【００３５】
もちろん、ユーザは、彼等の情報をどのように共有するか又は情報の共有を希望するかどうか判断することができる。ある場合には、ユーザは、最近診断を受けたが性的伝染病に罹っていないことを示すために、プライベートな医療レコードを共有することを希望してもよい（この情報を認証するために、サイン入りで且つ日付スタンプのあるトークンを医者又は診療所により発行することができる）。この場合には、彼等は、それらの医療レコードの一部分だけを、非常に特定の環境においてのみ共有できることを明記してもよい。必要に応じてこの情報を制御する権限をユーザに与える１組のルールがあってもよいと仮定する。これらのルールをどのように適用するかの簡単な態様を以下に説明する。これらのルールは、ここでの実際的な目的のために簡単化されており、且つシステムは、より多くの及び／又は異なるユーザ制御で改善できることを理解されたい。
【００３６】
明らかに、追跡し収集してユーザプロフィールを形成することのできる健全で且つ豊富なデータセットは、プライバシーの問題を高める。ユーザプロフィールにおけるデータの使用を管理するために、設定テーブル４１６が設けられる。このテーブルの各エントリーは、データエントリー又はデータの収集に適用するための多数の設定及びパラメータを指定することができる。テーブル４１６のエントリーは、データテーブル４０２における１つ以上のデータエントリーに関連付けることができる。例えば、ユーザ設定４１８は、ユーザにより移動装置又はパーソナルコンピュータを通して入力することができる。ユーザは、マッチングの目的で収集又は使用可能にしなければならないのはデータの形式であるかクラスであるかを指示する利用性４２０の設定を指定することができる。例えば、ユーザは、イベントの特定形式（ナイトクラブ、スポーツイベント、コンサート、等）に基づいて位置データを収集して使用することを指定できるが、大人向けナイトクラブのような他の位置を追跡し又は使用してはならない。又、ユーザは、ある条件が満足される場合だけ別のユーザとのマッチングに位置データを使用できることを指定してもよい（例えば、あなたが、あなたの地方ロータリークラブの別のメンバーの１００フィート以内におり、且つ異なるロータリークラブ支部のメンバーから１０フィート以内にいるときに、位置に基くデータを使用してあなたにアラートする）。同様に、写真、ｅメールアドレス又は電話番号を別のユーザに与えるためのルール、例えば、写真の相互交換を要求するルールを確立してもよい。又、ユーザは、マッチング及び通知を制限するある時刻、日、又は他の条件を指定してもよい（例えば、金曜日及び土曜日の夜だけマッチングを許可する）。又、ユーザは、特定のデータエントリーに基づきマッチングに対して集合４２２のレベルを使用しなければならないことを指定してもよい。例えば、ユーザは、他の者が、ユーザプロフィールに入力された所得レベルのみに基づいてマッチングを行なえることを希望しなくてよい。しかしながら、マッチングが大量の集合データに基づくか、又は信用性の高い特定形式のデータに基づく場合には、ユーザは、マッチングエンジンにより使用するための抽象的又は集合形態で所得を含ませるのを許してもよい（しかし、他のユーザへ与えるのは許さない）。又、他のプライバシー設定４２４を使用して、データの収集又は使用を限定し、ある時間周期の後にそれを削除し、或いはその使用をマッチング又は他のユーザへの開示に限定してもよい。ユーザが自分の行動を監視するのが容易であるのと同様に、必要に応じて行動の記録をデアクチベートするのは容易でなければならない。
【００３７】
又、ユーザプロフィール４００は、デフォールト及び自動設定を含んでもよい。例えば、テーブル４２６は、行動データ形式がユーザにより編集できないが削除はできることを指定してもよい。ＥＢａｙのフィードバック格付けと同様に、ユーザは、他のユーザからの全てのフィードバックをリセットできるが、彼が嫌いなフィードバックコメントは簡単に編集できなくてよい。同様に、システムに環境フィルタを使用させることが望まれることがある。例えば、あなたが、非常に多数のマッチングを得る場所にいる場合には、あなたが使用する装置（又はそれに接続されるサーバー）は、質の高いマッチングに対してのみアラートを送信するようなフィルタを適用することができる。同様に、あなたが旅行していて「ヒット」が得られない場合には、サービスは、あなたが外国にいることを確認するために位置検出を使用することにより、又は所与の時間周期中にあなたが得たマッチングが僅かである（又は全くない）ことを単に確認するだけで、そのスレッシュホールドを自動的に下げてもよい。
【００３８】
ここに例示する実施形態では、ユーザは、特定のプロフィールをもつマッチングするユーザがいるかどうか決定するために、１つ以上のターゲットプロフィール（例えば、幾つかの他の特徴をもつ２０代の独身女性）を指定してもよい。特に、ターゲットプロフィールを使用して、マッチングする特性を有し且つユーザのある距離内にいるか又は別の指定の位置にいる他のユーザを識別することができる。図５は、本発明の実施形態に基づくターゲットプロフィール５００の論理図である。図５は、例示的ターゲットプロフィールに対するデータ構造及びフィールドの形式を示しているが、他のデータベース、データ構造及びフォーマットを使用して、希望のデータをターゲットプロフィールに記憶しそして関連付けてもよいことを理解されたい。移動装置１００及び／又はネットワークサーバー３０２は、マッチングの目的で１つ以上のターゲットプロフィール５００を記憶することができる。又、ターゲットユーザプロフィールは、オンラインデーティング(dating)サービスのような他のシステムからインポートされてもよい。
【００３９】
手動で発生されるターゲットプロフィールを容易にするために、システムは、相手を探している人々の中で成功及び失敗を観察しそしてそれらから学習することによりグローバルな「マッチメーキングインテリジェンス(matchmaking intelligence)」を開発することができる。例えば、システムは、早朝に起きて犬と一緒に歩く人々が、同じことを行なう他の人々と仲良くやる傾向があるというパターンを「見」、従って、この行動情報を使用して、あなたがあなた自身に対して選択したものとは異なる「あなたのコンピュータ発生ターゲットプロフィール」を見出すことができる。コンピュータは、人々が互いにどのように「仲良くやる」か、それ自体、必ずしも、評価できないが、例えば、人が結婚してその事実をシステムへフィードバックとして伝達するときには、直接的なユーザフィードバックによりこの情報を収集することができる。又、例えば、位置に基づく追跡を通して、１月に会った２人の人がそれ以来多大な時間を費やしたのを観察することにより、成功なマッチングを推測することもできる。収集して分析できるデータ（外因的、自己発生、行動、等）が豊富にあり、且つコンピュータの計算力の増加と、Ｂａｙｅｓｉａｎアルゴリズム、ニューラルネットワーク及び他の人為的インテリジェンス方法とが合成されて、コンピュータは、人々が正に「人間」のスキルを上げるのに良好なものとなる。
【００４０】
例示的ターゲットプロフィール５００は、関係データベースに記憶することができると共に、ターゲットデータ範囲５０２及びプログラム可能なフィルタ５１８を記憶するための関連テーブルをもつことができる。データ範囲テーブル５０２は、別のユーザがターゲットプロフィールにマッチングするかどうか決定するのにシステムが使用するための特性に対する複数のエントリーを含んでもよい。マッチングする場合には、設定４１６に基づいてアクションを取ることができる（例えば、ビープ音を発するか、通知を送信するか、或いはマッチングするユーザ又はユーザのグループに関する情報を表示する）。各ターゲット特性は、データ範囲テーブル５０２に行として記憶することができる。エントリーは、データテーブル４０２に使用されるものに対応する（フィールド５０４、値範囲５０６、形式５０８、関連性５１０及び信用性５１２）が、スレッシュホールド値、範囲又はワイルドカード値を使用して、ユーザプロフィールがターゲットプロフィールにマッチングするための要求を指定することができる。更に、マッチングするかどうか決定する際にエントリーの重要性を指示するためにそのエントリーに重み５１４が指定されてもよい。（集中データベースを要求しない仕方で２つの装置間にアドホックベースで同じことを行なえることに注意されたい。）
【００４１】
又、他のフィルタ５１６を、マッチングの目的でエントリーに適用することもできる。ポインタは、データ範囲テーブル５０２内の１つ以上のエントリーをプログラム可能なフィルタ５１８にリンクし、さもなければ、関連付けることができる。プログラム可能なフィルタ５１８は、一般的にマッチングのための、又は特定のエントリーをマッチングするための他の条件を指定することができる。例えば、フィルタは、特定のエントリーがマッチングしなければならないかどうか、及び／又はあるパーセンテージのエントリーのみがマッチングすればよいかどうか指定することができる。フィルタは、位置５２０、時間５２２、状況５２４、関連性５２６、又は他の条件５２８に基づくものでよい。位置５２０は、ユーザのある距離以内（例えば、Ｂｌｕｅｔｏｏｔｈ範囲以内又は特定の位置データに基づく）にいるユーザ、或いは特定の位置、又は特定のイベント又は会場にいるユーザをフィルタするのに使用できる。又、位置５２０は、マッチングルールを自動的に調整するのにも使用できる（例えば、ユーザが家から遠くにいるとき）。例えば、ユーザが外国を旅行している場合には、ルールは、同じ言語を話す（又は同じ国から来た）別のユーザとのマッチングしか要求しない。又、ユーザは、状況５２４（例えば、ユーザが仕事をしているか、家にいるか、ソーシャルなイベントをしているか、又は旅行中であるか）を指示する設定４１６も有することができる。この状況５２４に基づいて、異なるターゲットプロフィール（１つ又は複数）をマッチングのために選択して使用することができる。更に、マッチングのための基準は、状況５２４に基づいて自動的に切り換えることができる（例えば、ユーザには、旅行時には近傍にいるが、仕事中にはそうでない友人を通知することができる）。又、時間５２２を使用して、マッチング基準を自動的に調整することもできる（例えば、金曜又は土曜の夜には、月曜の朝とは異なる基準を使用する）。
【００４２】
このシステムは、所与の時間及び／又は場所における他のユーザのルール及び設定を探すことにより「インテリジェンス」を発生し、そして自分の設定を手動で調整しなければならないことからユーザを救済するある環境ファクタを「計算」することができる。例えば、このシステムは、「位置メモリ」によりバーと医師のオフィスとの間を区別することができる。若干のユーザが、特定の位置（又は多使用ファシリティの場合には、時間に結合された位置）の特性を識別することにより位置を「精密に計画する(map out)」場合には、この情報を、その位置に訪れる他のユーザに適用することができる。この場合には、ユーザは、単に自分の装置を「医師のオフィスにおいてマッチングをターンオフする」又は「バー以外の全ての場所でマッチングをターンオフする」にセットすればよく、システムは、ユーザの希望に適宜に応答することができる。
【００４３】
同様に、システムは、フィードバックを通して学習することができ、即ちある種のアラートを繰り返しスヌーズさせ、従って、この「種」のアラートがありがたくないことを指示できる（時間、場所又は他のファクタに基づく）。或いは又、マッチングアラートを得ると、ユーザは、自分の装置のユーザインターフェイスを通してシステムへフィードバックを与え、「どうぞ、もっとこのように(more like this, please)」を送信する。より詳細には、システムは、どこに家があり、仕事場があり、ガールフレンドのアパートがあり、等々を知るようにトレーニングできねばならず、したがって、システムは、あなたについて学習し、そしてあなたの行動パターンを「理解する」ことができる。
【００４４】
関連性５２６は、あなたが誰と一緒か（例えば、あなたの妻又はあなたの愛人）及び／又は誰が傍にいるか（例えば、共通の友人と一緒又はその傍にいる人にとってより寛大なマッチング）及び／又はあなたが誰と関係をもつか（例えば、あなたは、高レベルの関連性及び信用性をもつ共通の友人がいるかどうか）に基づいてマッチングルールを変更するのに使用できる。マッチングに対する第２等級連絡先の使用は、データ範囲テーブル５０２における基準と、他の基準をどのように適用するか決定するためのフィルタの両方である。これらのエントリー及びフィルタは、親密な第２等級連絡先がある範囲内又は距離内にあるときに（例えば、位置５７０フィルタに基づいて）ユーザに通知するのに使用できる。又、会場又は催し物をスキャンして（ネットワークサーバー３０２へ要求を行なうことにより）、どれほど多くの友人及び／又は第２等級連絡先がその位置にあるか決定することができる。更に、ユーザのカレンダー情報がこのプロフィールに組み込まれた場合には、この情報を使用して、将来特定の位置に誰がいるか予想することができる。例えば、あなたが週末にマイアミへ行く計画をしている場合に、あなたは、その都市をスキャンして、現在そこに誰がいるか調べるだけでなく、あなたがそこにいるときに誰か（あなたの知人又は潜在的にマッチングする人）そこに行く計画を立てていることを調べることもできる。このように、あなたは、異なる都市からマイアミへ飛ぶ誰かと適当なブラインドデートするように「マッチング」することができる。
【００４５】
又、ユーザは、特定の位置において移動装置をもつ個人（例えば、バーの端にいる女性）を「スキャン」する特定の要求を出して、他の者が共通の友人を有するかどうか調べ、又は単に彼女の公のプロフィールを調べることもできる。ネットワークサーバーは、指定の位置において移動装置に対するユーザプロフィールを検索することもできるし、或いは移動装置との直接的Ｂｌｕｅｔｏｏｔｈ又は赤外線接続を通してそれを得ることもできる。これは、マッチング情報に対する質的な印（関連性４１０及び信用性４１２のような）と結合されたときに特に強力なものとなる。というのは、質の第２等級マッチングを促進しそしてスプーファーをフィルタ除去するからである。又、このスキャニングプロセスでは、以下に更に述べるように、他人同士の対話を始め易くするように、「アイスブレーカー」会話の話題を識別することができる。
【００４６】
又、あなたはフィルタを使用して、あるマッチングを阻止することもできる。例えば、あなたは結婚していても、分別あるロマンチックアプローチに対してオープンする「デジタルヴァイブ(digital vibes)」を送信したいとする。この場合に、あなたは、マッチングエンジンを使用すると、仲介者があなたの配偶者である第２等級接続に対してあなたをアラートして、それを回避する。又、「ヴァイブ」があなたの配偶者の友人へ送信されるのを選択的に阻止することもできるし、又は同様の願いを表明した人々へ匿名でのみ送信することもできる。これは、移動装置に対する利用性４２０の設定を変更するように関連性５２６に基づくフィルタを使用することにより指定することができる。
【００４７】
同じ方針に沿って、これは、必ずしも結婚していないが、単に匿名の物理的遭遇を希望し、ひいては、同様の関心をもつ他の人々についてアラートされることを希望する人々に適用することができる。このようなことを求める人々は、この好みをそれらのプロフィールに含ませることができ、そしてシステムは、これをそのマッチング基準に合体することができる。この種の物理的な遭遇を求めている者は、単純にどこかの場所へ行き、そこで、彼女が、同様の希望をもつ誰かに物理的に接近するという必要はない（これは、今日、匿名のＢｌｕｅｔｏｏｔｈ対話で行うことができる）が、実際には、同様の好みをもつ人々がどこに大勢集まるかに基づいて今夜どこに行くか判断することができる。彼女は、家を出る前に、バーや、近隣や、都市をもスキャニングすることにより、これを行うことができる。この「一夜立ち(one-night stand)」マッチングシステムは、これに、上述した他のプロフィールデータを結合することにより更に有効なものにすることができる。例えば、誰かが一夜立ちに関心があるが、彼のほとんどの時間を彼女の町又は近隣以外のところで過ごし且つ性的伝染病に関してきれいな健康記録を有する者しかいないこともある（これは、誰かにとって、おそらく、彼の医師により発行されたデジタルトークンを使用して彼のプロフィールに医療データを合体させる動機付けとなる）。
【００４８】
又、移動装置は、会社により使用されることもあり、これらの目的で特定のフィルタを確立することができる。会社は、本物のプロフィールデータに対して無数の使い方をする。あなたがプラダの小売店に入ったときに、あなたが年に百万ドル稼ぐことを店が知っているか、又は競争相手の店で月に＄１０００遣うことを知っている場合には（例えば、あなたのスマートカードの使用から情報が通信されて収集されるので）、あなたは、購入履歴が分からない者より親切に扱われる。同様に、あなたが産業見本市のフロアを歩いていて、あなたのプロフィールに、仕事及び過去の実績評価、又はある学校からの電気工学等級のような他の望ましい特性を有する場合には、あなたを雇用しようと求めている会社によるアプローチがあるかもしれない（特に、あなたが、そのような申し入れに対してオープンであることをあなたのプロフィールに指示している場合には）。
【００４９】
ある状況では、認証された行動情報の転送が会社及び消費者の両方にとって有益である。上述した例では、例えば、プラダにいる消費者は、証明された彼女の過去の購入履歴に基づいてＶＩＰ待遇を受け且つおそらく特別なオファーを得ることにより利益を得る。
【００５０】
更に、消費者は、ビジネスに関する外因的発生データにより権限を受けることができる。消費者が、過去の購入行動に基づいて顧客になる見込みが高い人と考えられるように、レストランは、その「行動」に関するプロフィール情報を受動的に蓄積することができる。この場合に、レストランは、システムの人間ユーザと同様の「エンティティ」である。誰かがレストランで食べるたびに、移動装置がそのレストランの格付けを容易にし、例えば、あなたが勘定を支払うときに（おそらく、デジタルキャッシュ又はクレジットカードで）、あなたには、１−１０の格付けを入力する資格が与えられる。あなたの格付けは、レストランに対するユーザプロフィール４００においてこのレストランとデジタルで関連付けされる（前のガールフレンドがあなたを格付けするのと同様に）。レストランに入る（又はその傍を歩く）次の人は、これらの格付けを見ることができる。この情報は、データベース記憶システム３０４に記憶することもできるし、又はレストラン又はその近くでローカルに配置された不正防止装置に記憶することもできる（不正防止であるから、レストランが否定的格付けを削除したり編集したりすることはできない）。
【００５１】
多数のキーエレメントがこれをザガット(Zagat)スタイルのレストラン批評から区別する。第１に、正にあなたがレストランにいて経験があなたの記憶に新しいうちに、レストランを格付けするのが容易であると指定されている。第２に、ユーザは、それを必要とするとき、即ち空腹で、道を歩きながら、食べる場所を、携帯する装置から探しているとき、高質の格付けを得ることができる（もちろん、ユーザは、他の時間及び場所でも同じ情報にアクセスすることができる）。人が他の人とマッチングされるのと同様に、ユーザとレストランとの間にターゲットプロフィールを確立し、移動装置が、良いレストランのマッチングをユーザに知らせ、ユーザの判断を誘導する助けとなる格付けを与えることができる。
【００５２】
消費者に資格を与える他のアプリケーションは、複合格付けを使用することである。例えば、フェンウェイ・パークは、誰がゲームに行くかに関する集合及び匿名情報をコンパイルすることができる。この場合に、レッドソックスのゲームに行こうと考える者は、どんな「種類」の人がゲームに来るか見出すことができる。この複合情報は、バーを選択するときに有用であり、即ちその客筋、年齢、性別比、収入、地元対観光客の比、等の複合統計情報である（それらは、全て、バーにおけるユーザプロフィール４００のデータエントリー４０２に基づいたものとなる）。観衆の複合状態が、現在、金曜の夜対日曜の夜、又は単に一般的に、どのようであるか知ることに関心をもつ者もある。
【００５３】
グループ情報は、集合及び匿名だけである必要はない。バーを「スキャン」して、例えば、あなたが知っている誰か（又は第２等級の連絡先、一夜立ちを探している女性、仕事先からの友人、等）が中にいるかどうか調べるのに使用できる。１つの重要な利益は、実際にあなたがバーへ行く前に、あなたがまだ家にいるか又はどこへ行こうか考えて仕事をしている間に、これをリモート位置で行う能力（例えば、サーバー３０２へ問合せ要求を送信することにより）である。又、人々は、引っ越そうと考えている都市に住んでいる人々（又は同様に隣人）、働こうと考えている会社、加入しようと考えているゴルフクラブ、訪れてみたいリゾート等に関するリモート複合データを得るのに有用であることが分かる。
【００５４】
本発明の実施形態は、種々の付加的な応用も可能にする。
【００５５】
コンテスト：あなたが、友人と共に、誰がより多くの知人に遭遇するか競争すれば楽しいことであろう。位置が分かるマッチングシステムでは、あなたは、人々それ自身に「ばったり会う」必要はなく、ある指定の距離内に友人がいる場合に、マッチングエンジンがそれをあなたに告げる。ここに述べる真正性テストは、コンテストを改善することができる（あなたは、おそらく、仕事関係の知人をゲームから除去するか、或いは例えば、「親密な友人」だけを信用性４１２の格付けに基づいてカウントするよう規定することができる）。
【００５６】
カルマ(karma)ポイント：２人の人があなたを仲介者として使用して会うときには、あなたは、デジタルカルマポイント（ユーザプロフィール４００におけるスコア又はトークン）を稼ぐことができる。カルマポイントは、収集するのが楽しいもので、マッチングの基礎を与えることもできる（例えば、良好なマッチメーカーであるか又は多数の第２等級の連絡先を有するユーザをフィルタリングする）。ある数のマッチングについて「責任のあった」近隣のコーヒー店（即ち、そのコーヒー点の常連である人々がマッチングされる）のような生命のないエンティティも、カルマポイントを稼ぐことができる。２人の人があなたを仲介者として使用して会うときには、それが行なわれたこと、及びあなたが丁度１０「カルマポイント」を稼いだことをあなたにアラートすることができる。
【００５７】
「リンギング・イヤ(Ringing Ears」：カルマポイントを稼ぐのに加えて、２人の人があなたを仲介者として使用して会うときには、あなたは、（電話、テキストメッセージ、等により）通知を受け、そしてその対話に離れたところから又は本人が参加するように招待を受けることができる。移動装置１００の設定４１６は、共通の友人の中でマッチングが行なわれるときに、その装置が仲介者にコールを発したり又はテキストメッセージやｅメールを送信したりするようにさせる。更に、設定４１６を使用して、サーバー３０２が仲介者にメッセージを送信するようにさせてもよい。
【００５８】
なぞなぞ及びゲーム：設定及びフィルタは、創造的な対話マッチング基準を使用するのを許す。上述したように、人々は、他のユーザの何人か又は全部に見せることのできるパブリックプロフィールを有する。このプロフィールは、「スキャニング」動作を通してアクセスすることができ、これは、誰かが彼の装置を個人（又は彼女の装置）に「向け」、彼女のパブリックプロフィールにアクセスできることを意味する。パブリックプロフィールでは、男性が彼女にアプローチするときになぞなぞに答えるか、或いは彼女の好きな歌を歌い、彼女にマルガリータを買い、彼女にある種の花を手渡し、等々をするようにチャレンジすることにより、女性が楽しむことを望む。これは、両当事者が座を和やかにするために、楽しませることができる。アプローチのためのこれらの好みは、誰かが彼女の表情を「スキャン」するときに、座を和やかにする適当な話題を見つけるか、又はマッチングする「ヒット」（相互の知人のような）をサーチするために露呈される。サイドポイントとして、誰かがスキャンされるたびにそれを保持するレコードがあってもよい。女性は、ある夜、１８名の男性が、彼女を「スキャン」するに足る魅力を見出したことを知るのが好きである。
【００５９】
デジタルウェイク：別の設定４１６は、幾つかのマッチング又は事象が発生したときに通知を要求するのに使用できる。最近、近くの位置にいたユーザをマッチングさせるためにターゲットプロフィール及びフィルタが確立される（データテーブル４０２におけるタイムスタンプ付き位置エントリーに対するマッチングに基づいて）。例えば、ユーザは、ユーザが知っている誰か（ユーザプロフィール４００のデータエントリーで指示された）が最後の５分以内にユーザの位置を通過したときにアラートされる。この場合に、彼は、彼の友人にコールしてハローと言い、そしておそらく、ぐるりと戻って近くで会うようにアレンジする。又、位置５２０のフィルタを使用して、ユーザが位置するかどうかに基づいてマッチングするためのこの基準を緩和することができる。例えば、ユーザが外国を旅行している場合に、ユーザは、最後の数時間以内に近くにいた友人について通知を受けることを希望する。又、ユーザは、ユーザがその前に訪れた位置（例えば、ユーザが１時間前に昼食を取ったレストラン）に友人がいる場合に通知を受けることを希望する。
【００６０】
図６は、本発明の実施形態に基づいてユーザをマッチングするための方法を示すフローチャートである。装置１００又はサーバー３０２のソフトウェアアプリケーションは、ユーザプロフィール及びターゲットプロフィールを処理して、マッチングがあるかどうか、及びマッチングがある場合には行うべきアクションを決定することができる。上述したプロフィール情報及びフィルタのいずれを使用してもよく、そして上述したアクションのいずれかを、ユーザプロフィール及びターゲットプロフィールにおける情報に基づいて行うことができる。６０２に示すように、位置情報は、移動装置１００により発生され又は受信されそして装置によりローカルで処理されるか、或いは処理のためにサーバー３０２へ送信されてもよい。位置情報は、特定の位置又は催し物にいるユーザ、或いはユーザ又は特定位置のある範囲内にいるユーザを要求する。６０４に示すように、この基準を満足する他のユーザが検出される（図２に示す直接的通信を経て又はサーバー３０２を経て）。利用性設定４２０に基づき、装置又はサーバーは、次いで、ユーザプロフィール（又は少なくとも、希望のターゲットプロフィール及びフィルタに基づいてマッチングするのに必要なエントリー）がその検出されたユーザについて得られるかどうか決定する。ユーザプロフィールが得られる場合には、それらが検索されると共に、６０８に示すように、ユーザプロフィール及びターゲットプロフィールにフィルタが適用される。６１０に示すように、ユーザプロフィールが、次いで、フィルタされたターゲットプロフィールと比較され、マッチングするかどうか決定される。マッチングする場合には、設定６１４をチェックして、行うべき適当な通知、アラート及び他のアクションを決定する。次いで、６１６に示すように、移動装置１００及びサーバー３０２により適当な通知、アラート及び他のアクションが行なわれる。上述したように、これらのアクションは、マッチングするユーザを通知し、マッチングするターゲットを通知し、及び／又は２つの第２等級連絡先がマッチングするところの仲介者を通知することを含む。
【００６１】
上述したように、プログラム可能なフィルタ５１８は、基準とユーザプロフィールとの間の全体的なマッチングに対して、個々の基準／エントリーを満足しなければならないか、又はあるパーセンテージの基準／エントリーを満足すればよいか、指定することができる。ここに示す実施形態では、通常の表現又は他の論理が、プログラム可能なフィルタ及び／又は基準の一部分として使用されてもよい。全体的なマッチングに対してスレッシュホールドを満足するかどうか決定すると共に、スレッシュホールドを満足する他のユーザ及びユーザプロフィールをユーザに通知すべきかどうか決定するために、スコアが計算されてもよい。ユーザにどのように通知すべきか決定するのに使用される２つ以上のスレッシュホールド又はスケールがあってもよい。非常に高いスコアをもつ別のユーザが近くにいる場合には、移動装置は、可聴アラートを放出するか又は振動し、且つ他のユーザプロフィールからの情報と共にＳＭＳテキストメッセージを与えるようにされる。他のユーザが有する低いスコアが、あるスレッシュホールドに対して依然として充分高い場合には、可聴アラートを伴わずにテキストメッセージが送信される。これらは、例示に過ぎず、通知及びスレッシュホールドの他の組み合せが使用されてもよい。
【００６２】
ここに例示する実施形態では、マッチングに対して、ターゲットが雄であるか雌であるかといったある基準が必要になる。他の基準は、収入レベルのようなあるスレッシュホールドを越えるマッチングスコアに貢献する。これらの基準は、ある場合にはスコアに向かうゼロ又は固定数に貢献する（例えば、重み５１４に基づいて）。例えば、ターゲットが、ユーザ及びターゲットの両方に対するプロフィールに関連した連絡先リストに挙げられたユーザ又は他の個人のような共通の第２レベルの連絡先を共有する場合には、単一の重み５１４をスコアに追加することができる。ある場合には、基準が、重み５１４又は重み５１４の一部分を、他のユーザプロフィールに基づく回数で、スコアに追加するのを許す。例えば、ユーザとターゲットとの間の共通の各第２レベル連絡先に対して付加的なポイントをスコアに追加することができる。プログラム可能なフィルタ５１８は、共通の各付加的な第２レベル連絡先に対してポイントを減少する（最終的にゼロに）ルールを指定することができる。ある最大値までの、より高い収入レベルに対して、より多くのポイントを追加する等、他の基準について同じ解決策を使用してもよい。別の例では、第３次の連絡先が使用される（ユーザ及びターゲットの各々が知っている誰かが、次いで、上述したように連絡先リスト又は他のファクタに基づいて決定できる共通の個人を知っている）。第３次の連絡先は、スコアに対する幾つかのポイントに貢献するが、第２次の連絡先より少数のポイントにしか貢献しない（及びそれより低い重みしかもたない）。上述した他の形式の基準及び特性は、いずれも、論理的基準又はルールを満足するかどうかに基づくと共に、その基準又はルールを満足するときにスコアに追加できる重み（固定であるかスケーリングされるかに関わらず）に基づいて、スコアに因数分解することもできる。ダイヤル、スライドバー又は他の調整可能な設定を伴うユーザインターフェイスは、異なる基準に対する重みを調整するのに使用でき、これは、マッチングに対して重要な基準を作る設定、スコアに貢献する重み／ポイントを指定するための設定（又は設定のスケール）、基準がマッチングに対して使用されないことを指示する設定、及び／又は基準がターゲットをマッチングから不適格とすることを指示する設定を含む。又、マッチングに使用されるスレッシュホールドは、ダイヤル、スライドバー又は他の調整可能な設定を使用することにより調整することもできる。ユーザは、混雑した位置において得るマッチング又は通知が多過ぎる場合には、ダイヤル、スライドバー又は他の設定を容易にトグルして、マッチングに必要なスレッシュホールドスコアを上げることができる。マッチングが生じ難い位置にユーザがいる（例えば、町の外、又は外国を旅行している）場合には、ユーザは、マッチングに必要なスレッシュホールドスコアを容易に下げることができる。上述したように、スレッシュホールドは、状況、１日の時刻、位置、又はシステムにより決定される他のファクタに基づいて自動的に調整することができる。
【００６３】
同様に、スコア及びスレッシュホールドを、会社又は会場又は他のオブジェクトのようなエンティティに対して使用して、マッチングを決定すると共に、ユーザに通知すべきかどうか決定することができる。ここに例示する実施形態では、同様のスコア及びスレッシュホールドを、位置に基づく情報に結合して、プロモーションアイテム、広告、又はクーポンをユーザへ送信すべきかどうか決定することができる。例えば、ユーザは、信用スコア、行なわれた購入に基づくスコア、又はスレッシュホールドを満足する他の基準を有してもよい。スレッシュホールドより高いスコアをもつユーザが、店又は会社の付近にいると決定された場合には、特定の広告又は電子クーポンをユーザの移動装置へ送信することができる。ユーザがスレッシュホールドスコアをどれほど越えるかに基づいて異なる広告又はクーポンがユーザに送信されるような拡張可能なスレッシュホールドを使用してもよい。ある実施例では、移動装置が競争相手の会社付近に（又は会社に）あると決定されたときに、会社の位置に対する方向、或いは会社の広告又はクーポンをユーザの移動装置へ送信することができる。ユーザがその位置の付近にいるかどうかは、予め設定された半径又は距離に基づいてもよいし、或いはユーザがその位置にどれほど接近しているかに基づいてスコアの一部分として異なる量で重み付けされてもよい。
【００６４】
本発明の好ましい実施形態を図示して説明したが、当業者であれば、これら実施形態が例示に過ぎないことが明らかであろう。当業者であれば、本発明から逸脱せずに、多数の変更や修正や置き換えが明らかであろう。本発明を実施するときに、ここに述べる本発明の実施形態に対する種々の変更を使用してもよいことが理解されよう。本発明のシステム及び方法は、特許請求の範囲及びその等効物により限定されるものとする。
【図面の簡単な説明】
【００６５】
【図１】本発明の実施形態に関連して使用できる移動装置のブロック図である。
【図２】本発明の実施形態に基づき移動装置間での情報の直接的な交換を示すブロック図である。
【図３】本発明の実施形態に基づくネットワークシステムを示す図である。
【図４】本発明の実施形態に基づくユーザプロフィールの論理図である。
【図５】本発明の実施形態に基づくターゲットプロフィールの論理図である。
【図６】本発明の実施形態に基づきユーザをマッチングするための方法を示すフローチャートである。
【図１】
2008517402.tif 000003
【図２】
2008517402.tif 000004
【図３】
2008517402.tif 000005
【図４】
2008517402.tif 000006
【図５】
2008517402.tif 000007
【図６】
2008517402.tif 000008
【手続補正書】
【提出日】平成19年10月10日(2007.10.10)
【手続補正１】
【補正対象書類名】特許請求の範囲
【補正対象項目名】全文
【補正方法】変更
【補正の内容】
【特許請求の範囲】
【請求項１】
位置に基づくソーシャルネットワーキングを管理するネットワークサーバーにおいて、
データ及びインストラクションを記憶するためのデータ記憶コンポーネントと、
前記インストラクションを実行して、前記ネットワークサーバーが、
複数のプロフィールを受け取り、各プロフィールは、複数のユーザの各１人に対して受け取られ、更に、各プロフィールは、複数の特性を複数のユーザ内の各ユーザに関連付けるものであり、
信用性のレベルを各プロフィールにおける特性の少なくとも幾つかに関連付け、前記信用性のレベルは、前記特性の少なくとも幾つかが各ユーザ以外により与えられるかどうかを部分的に指示するものであり、
第１ユーザに対して前記複数のユーザの１人とマッチングさせるのに使用できる基準を受け取り、
前記第１ユーザの現在位置を指示する情報を得、
前記信用性のレベル及び前記第１ユーザの現在位置に少なくとも一部分基づいて前記基準に対する前記複数のユーザの１人の一致を決定する、
ことを含むアクションを遂行するようにさせるプロセッサと、
を備えたネットワークサーバー。
【請求項２】
少なくとも１つの特性は、前記プロフィールに関連したユーザ以外の別のユーザとの関係に関する情報を含み、この関係情報は、他のユーザにより確証される、請求項１に記載のネットワークサーバー。
【請求項３】
前記インストラクションは、前記ネットワークサーバーが、
関連性のレベルを各ユーザのプロフィールの少なくとも幾つかの特性に関連付け、前記関連性のレベルは、前記少なくとも幾つかの特性が、規定値を越えるサンプルサイズに基づいて決定されるかどうか部分的に指示するものであり、
更に、前記関連性のレベルに基づいて一致を決定する、
ことを更に含むアクションを遂行するようにさせる、請求項１に記載のネットワークサーバー。
【請求項４】
各ユーザにより与えられる特性には、各ユーザ以外により与えられる特性より低い信用性のレベルが関連付けられる、請求項１に記載のネットワークサーバー。
【請求項５】
少なくとも１つの特性は、前記第１ユーザと、前記複数のユーザの別のユーザとの間の関係を指示し、前記信用性のレベルは、更に、前記第１ユーザ及び他のユーザが同じ位置にいた回数に一部分基づく、請求項１に記載のネットワークサーバー。
【請求項６】
前記インストラクションは、前記ネットワークサーバーが、
前記第１ユーザの現在位置に一部分基づいて前記第１ユーザへプロモーションメッセージを送信する、
ことを更に含むアクションを遂行するようにさせる、請求項１に記載のネットワークサーバー。
【請求項７】
前記インストラクションは、前記ネットワークサーバーが、
第２ユーザが訪れた位置を自動的に決定し、第２ユーザが不在のときは、位置を手動で指定し、
前記第２ユーザが訪れた前記決定された位置を使用して、前記複数のユーザの１人の一致を更に決定する、
ことを更に含むアクションを遂行するようにさせる、請求項１に記載のネットワークサーバー。
【請求項８】
複数のプロフィールを用意するステップであって、各プロフィールは、複数のユーザの各１人に対して受け取られ、更に、各プロフィールは、複数の特性を複数のユーザ内の各ユーザに関連付けるものであるステップと、
関連性のレベルを各プロフィールにおける特性の少なくとも幾つかに関連付けるステップであって、前記関連性のレベルは、前記特性の少なくとも幾つかが、規定値を越えるサンプルサイズに基づいて決定されるかどうかを部分的に指示するものであるステップと、
前記複数のユーザの１人とマッチングさせるのに使用できる基準を受け取るステップと、
第１ユーザの現在位置を決定するステップと、
前記関連性のレベル及び前記第１ユーザの現在位置に少なくとも一部分基づいて前記基準に対する前記複数のユーザの１人の一致を決定するステップと、
前記第１ユーザに対してマッチングする前記複数のユーザの１人に関連付けられたプロフィールの少なくとも一部分を与えるステップと、
を備えた位置に基づくソーシャルネットワーキング方法。
【請求項９】
信用性のレベルを各プロフィールの少なくとも幾つかの特性に関連付けるステップであって、前記信用性のレベルは、前記少なくとも幾つかの特性が各ユーザ以外によって与えられるかどうか部分的に指示するものであるステップと、
更に、前記信用性のレベルに基づいて一致を決定するステップと、
を備えた請求項８に記載の方法。
【請求項１０】
前記複数のユーザのマッチングする１人に一致を指示する情報を与えるステップを更に備えた、請求項８に記載の方法。
【請求項１１】
少なくとも１つのプロフィールは、前記第１ユーザ以外により与えられる前記第１ユーザに関するフィードバックを含む、請求項８に記載の方法。
【請求項１２】
前記第１ユーザの現在位置を使用して、前記第１ユーザが商人から所定の距離内にあるかどうか決定するステップと、
前記第１ユーザが商人から所定の距離内にある場合には、競合する商人に対する広告を前記第１ユーザに送信するステップと、
を更に備えた請求項８に記載の方法。
【請求項１３】
前記複数のユーザ内の他のユーザの現在位置を決定するステップと、
前記他のユーザのうちの少なくとも１人が店舗内に位置するかどうか決定するステップと、
前記他のユーザのうちの少なくとも１人が店舗内に位置する場合には、その少なくとも１人の他のユーザに関連したプロフィールの少なくとも一部分をその店舗にいる販売代表者に与えるステップと、
を更に備えた請求項８に記載の方法。
【請求項１４】
前記第１ユーザの現在位置を決定する前記ステップは、更に、少なくとも１つの事象が現在位置に関連しているかどうか、又は商人が現在位置に関連しているかどうか決定することを含む、請求項８に記載の方法。
【請求項１５】
アクションを遂行するように各々構成された複数の移動装置であって、前記アクションは、各移動装置のユーザに対するプロフィールを与えることを含み、更に、各プロフィールは、各ユーザに関連付けられた複数の特性を含むものである複数の移動装置と、
アクションを遂行するよう構成されたネットワーク装置であって、前記アクションは、
前記複数の移動装置から各プロフィールを受け取り、
信用性のレベル又は関連性のレベルの少なくとも一方を、前記移動装置の各ユーザに対する各プロフィールにおける少なくとも幾つかの特性に関連付け、前記信用性のレベルは、少なくとも幾つかの特性が各ユーザ以外により与えられるかどうか部分的に指示し、そして前記関連性のレベルは、少なくとも幾つかの特性が、所定値を越えるサンプルサイズに基づいて決定されるかどうか部分的に指示し、
第１ユーザに対して前記複数のユーザの１人とマッチングさせるのに使用できる基準を受け取り、
前記第１ユーザの現在位置を指示する情報を得、
前記第１ユーザの現在位置と、前記信用性のレベル又は前記関連性のレベルの一方とに一部分基づいて、前記基準に対する前記複数のユーザの１人の一致を決定し、
前記複数のユーザのマッチングする１人に関連したプロフィールの少なくとも一部分を前記第１ユーザの移動装置に表示するために前記第１ユーザに与える、
ことを含むものであるネットワーク装置と、
を備えた位置に基づくソーシャルネットワーキングシステム。
【請求項１６】
前記少なくとも幾つかのプロフィールは、更に、各ユーザが訪れる位置を指示する情報を含む、請求項１５に記載のシステム。
【請求項１７】
第１ユーザに対して前記複数のユーザの１人とマッチングさせるのに使用できる基準を受け取ることは、前記第１ユーザの現在位置と、前記複数のユーザ内の少なくとも１人のユーザが訪れる位置との接近度を指示する情報を得ることを含む、請求項１５に記載のシステム。
【請求項１８】
前記ネットワーク装置は、更に、前記第１ユーザの現在位置が前記複数のユーザ内の別のユーザの所定接近度内にある場合に、前記別のユーザに対する前記第１ユーザの接近度を使用して更に一致を決定する、ことを含むアクションを遂行するよう構成される、請求項１５に記載のシステム。
【請求項１９】
前記ネットワーク装置は、更に、前記第１ユーザの現在位置に基づいて前記第１ユーザの移動装置にプロモーションアイテムを送信する、ことを含むアクションを遂行するよう構成される、請求項１５に記載のシステム。
【請求項２０】
前記ネットワーク装置は、更に、
第２ユーザの移動装置から透過的に得られる位置情報に基づいて、第２ユーザが訪れる位置を自動的に決定し、
前記第２ユーザが訪れる前記決定された位置を使用して、前記複数のユーザの１人の一致を更に決定する、
ことを含むアクションを遂行するよう構成される、請求項１５に記載のシステム。
【請求項２１】
位置に基づくソーシャルネットワーキングを管理する移動装置において、
データ及びインストラクションを記憶するためのデータ記憶コンポーネントと、
前記インストラクションを実行して、
前記移動装置の位置を決定し、前記移動装置は、第１ユーザに関連付けられ、
前記移動装置の所定範囲内にある複数の他の移動装置の各々に対して、その範囲内の移動装置に関連した各ユーザに対するユーザプロフィールを受け取り、各プロフィールは、複数の特性を各ユーザに関連付けるものであり、そして少なくとも幾つかの特性は、その少なくとも幾つかの特性が各ユーザ以外によって与えられるかどうか部分的に指示する信用性のレベルを含み、
前記所定範囲内にある少なくとも１つの他の移動装置に関連付けられたユーザの１人に対して前記第１ユーザをマッチングさせるのに使用できる基準を受け取り、
前記信用性のレベル及び前記第１ユーザの位置に少なくとも一部分基づいて前記基準に対する前記他のユーザの少なくとも１人の一致を決定し、
一致の通知を前記第１ユーザの少なくとも１人又は前記他のユーザの少なくとも１人に与える、
ことを含むアクションを遂行するように構成されたプロセッサと、
を備えた移動装置。
【国際調査報告】
2008517402.tif 000009
2008517402.tif 000010